(57)【要約】【課題】印刷媒体の判定がより自動的に且つより正確に行われやすい構成を提供する。【解決手段】印刷媒体１００は、基材層１０４に識別マーク１１０が印刷されており、識別マーク１１０内の一部が、判定装置３によって反射状態が検出されるべき特定領域ＡＲとして構成されている。この特定領域ＡＲは、照射される波長により透過率が変化するインク層、又は照射される波長により発光状態が変化するインク層、若しくは化学反応によって発色状態が変化する材料層、が少なくとも二層以上重ねられた構成となっている。そして、判定装置３は、特定波長の照明光が印刷媒体１００に照射されたときの当該印刷媒体１００からの光の受光結果に基づき、特定領域ＡＲでの反射率又は特定領域ＡＲからの光の光量の少なくともいずれかを検出値として検出し、その検出値に基づいて印刷媒体１００の種別を判定する。【選択図】図１
2015060270.tif 000002
【特許請求の範囲】
【請求項１】
印刷媒体と、前記印刷媒体を判定する判定装置と、を備え、
前記印刷媒体の特定領域は、照射される波長により透過率が変化するインク層、又は照射される波長により発光状態が変化するインク層、若しくは化学反応によって発色状態が変化する材料層、が少なくとも二層以上重ねられた構成となっており、
前記判定装置は、
特定波長の照明光を照射する照明部と、
前記照明部から前記印刷媒体に対して前記照明光が照射された場合に当該印刷媒体からの光を受光する受光部と、
前記照明光が前記印刷媒体に照射されて生じる当該印刷媒体からの光を前記受光部が受光した受光結果に基づき、前記特定領域での反射率又は前記特定領域からの光の光量の少なくともいずれかを検出値として検出する検出部と、
前記検出部によって検出された前記検出値に基づいて前記印刷媒体の種別を判定する判定部と、
を有することを特徴とする判定システム。
【請求項２】
前記判定部は、前記検出部によって検出された前記検出値が所定範囲内であるか否かに基づいて前記印刷媒体の真贋を判定することを特徴とする請求項１に記載の判定システム。
【請求項３】
前記印刷媒体には、前記特定領域が存在する範囲を示す位置マークが形成されていることを特徴とする請求項１又は請求項２に記載の判定システム。
【請求項４】
前記印刷媒体は、基材層を備えており、
前記特定波長の前記照明光が照射された場合の、前記特定領域外の前記基材層の配置領域での光の反射率と前記位置マークが付された領域での光の反射率との差が、前記特定領域での光の反射率と前記特定領域外の前記基材層の配置領域での光の反射率との差よりも大きい所定差以上となるように構成されていることを特徴とする請求項３に記載の判定システム。
【請求項５】
前記印刷媒体は、基材層を備えており、
前記検出部は、前記照明光が前記印刷媒体で反射して生じる光を前記受光部が受光した受光結果に基づき、前記特定領域外において前記基材層が配置される所定領域での反射率又は前記所定領域からの光の光量の少なくともいずれかを比較値として検出し、
前記判定部は、前記検出値と前記比較値とに基づいて前記印刷媒体の種別を判定することを特徴とする請求項１から請求項４のいずれか一項に記載の判定システム。
【請求項６】
前記印刷媒体には、情報コードが形成され、前記情報コードの少なくとも一部が前記特定領域として構成されており、
前記受光部は、前記照明部から前記印刷媒体に対して前記照明光が照射された場合に、少なくとも前記情報コードからの光を受光して前記情報コードの撮像画像を生成し、
前記判定装置は、前記受光部での受光結果に基づいて前記情報コードを解読する解読部を備えていることを特徴とする請求項１から請求項５のいずれか一項に記載の判定システム。
【請求項７】
情報コードが印刷された印刷媒体と、
前記印刷媒体を判定する判定装置と、
を備え、
前記情報コード内の特定領域には、照射される波長により透過率が変化するインク層、又は照射される波長により発光状態が変化するインク層、若しくは化学反応によって発色状態が変化する材料層、が少なくとも設けられ、
前記判定装置は、
特定波長の照明光を照射する照明部と、
前記照明部から前記印刷媒体に対して前記照明光が照射された場合に、少なくとも前記情報コードからの光を受光して前記情報コードの撮像画像を生成する受光部と、
前記受光部での反射光の受光結果に基づいて前記情報コードを解読する解読部と、
前記照明光が前記印刷媒体に照射されて生じる当該印刷媒体からの光を前記受光部が受光した受光結果に基づき、前記特定領域での反射率又は前記特定領域からの光の光量の少なくともいずれかを検出値として検出する検出部と、
前記検出部によって検出された前記検出値に基づいて前記印刷媒体の種別を判定する判定部と、
を有することを特徴とする判定システム。
【請求項８】
前記情報コードは、予め定められた形状の特定パターンを備え、
前記特定パターンの少なくとも一部が前記特定領域として構成されていることを特徴とする請求項６又は請求項７に記載の判定システム。
【請求項９】
前記検出部は、前記受光部によって生成された前記情報コードの前記撮像画像において前記特定パターンの位置を検出する第１位置検出部と、前記第１位置検出部によって検出された前記特定パターンの位置に基づき、前記撮像画像における前記特定パターンの領域内での前記特定領域の位置を検出する第２位置検出部と、を有することを特徴とする請求項８に記載の判定システム。
【請求項１０】
前記情報コードは、複数種類のセルが配列されてなるものであり、
少なくともいずれかの種類のセルの少なくとも一部が前記特定領域として構成されていることを特徴とする請求項６から請求項９のいずれか一項に記載の判定システム。
【請求項１１】
前記情報コードには、前記判定装置で利用可能な情報として、前記検出値の基準となる基準値又は基準範囲を特定する基準情報が記録されており、
前記判定装置において、
前記解読部は、前記情報コードから前記基準情報を解読し、
前記判定部は、前記解読部によって解読された前記基準情報と、前記検出部によって検出された前記検出値とに基づいて前記印刷媒体の種別を判定することを特徴とする請求項６から請求項１０のいずれか一項に記載の判定システム。
【請求項１２】
前記情報コードには、前記判定装置で利用可能な情報として、前記特定波長を特定する情報が記録されており、
前記判定装置において、
前記解読部は、前記情報コードから前記特定波長を特定する情報を解読し、
前記照明部は、複数の波長の光を照射可能に構成され、前記解読部によって解読された情報に基づいて前記特定波長を選択し、当該特定波長の前記照明光を照射することを特徴とする請求項６から請求項１１のいずれか一項に記載の判定システム。
【請求項１３】
前記情報コードには、前記判定装置で利用可能な情報として、前記特定領域の位置を示す情報が記録されており、
前記判定装置において、
前記検出部は、前記解読部によって解読された情報に基づき、前記受光部で生成された前記情報コードの前記撮像画像内での前記特定領域の位置を検出し、その検出された前記特定領域での反射率又は前記特定領域からの光の光量の少なくともいずれかを前記検出値として検出することを特徴とする請求項６から請求項１２のいずれか一項に記載の判定システム。
【請求項１４】
前記情報コードには、前記判定装置で利用可能な情報が暗号化されて暗号データとして記録されており、
前記判定装置の前記解読部は、前記暗号データの暗号を解読する暗号解読部を有することを特徴とする請求項１１から請求項１３のいずれか一項に記載の判定システム。
【請求項１５】
前記情報コードは、少なくとも前記判定装置で利用可能な情報が所定の暗号化キーに基づいて暗号化された前記暗号データが記録される非開示データ領域と、前記暗号化キーによる暗号化がなされていない所定情報が記録された開示データ領域と、を有することを特徴とする請求項１４に記載の判定システム。
【請求項１６】
前記検出部は、前記特定領域の複数位置での前記検出値を検出し、且つそれら複数位置での前記検出値のメディアン値を求め、
前記判定部は、前記メディアン値に基づいて、前記印刷媒体の種別を判定することを特徴とする請求項１から請求項１５のいずれか一項に記載の判定システム。
【請求項１７】
前記印刷媒体は、前記特定領域が所定形状で構成されており、
前記判定装置は、前記受光部で生成された画像から前記特定領域の形状を認識する形状認識部を備え、
前記判定部は、前記形状認識部によって認識された形状と、前記検出部によって検出された前記検出値とに基づいて前記印刷媒体の種別を判定することを特徴とする請求項１から請求項１６のいずれか一項に記載の判定システム。
【請求項１８】
前記照明部は、前記照明光として所定の複数波長の光をそれぞれ照射可能とされており、
前記受光部は、前記照明部から前記印刷媒体に対して複数波長の前記照明光がそれぞれ照射された場合に、それら各波長の前記照明光が前記印刷媒体に照射されて生じる光をそれぞれ受光し、
前記検出部は、前記各波長の前記照明光が前記印刷媒体に照射されたときの前記特定領域での前記検出値をそれぞれ検出し、
前記判定部は、前記各波長の前記照明光が前記印刷媒体に照射されたときに前記検出部でそれぞれ得られる前記検出値に基づいて前記印刷媒体の種別を判定することを特徴とする請求項１から請求項１７のいずれか一項に記載の判定システム。
【請求項１９】
前記照明部は、前記照明光として、所定の第１波長の光、前記第１波長よりも小さい１又は複数の第２波長の光、前記第１波長よりも大きい１又は複数の第３波長の光をそれぞれ照射可能とされており、
前記印刷媒体は、前記第１波長の光、１又は複数の前記第２波長の光、１又は複数の前記第３波長の光がそれぞれ照射された場合の前記特定領域での各反射率のうち、前記第１波長の光が照射されたときの反射率が最も大きく又は最も小さくなるように構成されており、
前記検出部は、前記印刷媒体に対し前記第１波長の光、１又は複数の前記第２波長の光、１又は複数の前記第３波長の光がそれぞれ照射された場合に、それぞれの光での前記検出値を検出し、
前記判定部は、前記検出部で検出される複数の前記検出値において、前記第１波長の光での前記検出値が最大値又は最小値であるか否かに基づいて前記印刷媒体の種別を判定することを特徴とする請求項１から請求項１８のいずれか一項に記載の判定システム。
【請求項２０】
照射される波長により透過率が変化するインク層、又は照射される波長により発光状態が変化するインク層、若しくは化学反応によって発色状態が変化する材料層、が少なくとも特定領域に二層以上重ねられた構成の印刷媒体を判定対象とし、
特定波長の照明光を照射する照明部と、
前記照明部から前記印刷媒体に対して前記照明光が照射された場合に当該印刷媒体からの光を受光する受光部と、
前記照明光が前記印刷媒体に照射されて生じる当該印刷媒体からの光を前記受光部が受光した受光結果に基づき、前記特定領域での反射率又は前記特定領域からの光の光量の少なくともいずれかを検出値として検出する検出部と、
前記検出部によって検出された前記検出値に基づいて前記印刷媒体の種別を判定する判定部と、
を有することを特徴とする判定装置。
【請求項２１】
情報コードが印刷され、前記情報コード内の特定領域に、照射される波長により透過率が変化するインク層、又は照射される波長により発光状態が変化するインク層、若しくは化学反応によって発色状態が変化する材料層、が少なくとも設けられてなる印刷媒体を判定対象とし、
特定波長の照明光を照射する照明部と、
前記照明部から前記印刷媒体に対して前記照明光が照射された場合に、少なくとも前記情報コードからの光を受光して前記情報コードの撮像画像を生成する受光部と、
前記受光部での反射光の受光結果に基づいて前記情報コードを解読する解読部と、
前記照明光が前記印刷媒体に照射されて生じる当該印刷媒体からの光を前記受光部が受光した受光結果に基づき、前記特定領域での反射率又は前記特定領域からの光の光量の少なくともいずれかを検出値として検出する検出部と、
前記検出部によって検出された前記検出値に基づいて前記印刷媒体の種別を判定する判定部と、
を有することを特徴とする判定装置。
【請求項２２】
基材層に識別マークが印刷されてなる印刷媒体であって、
前記識別マーク内の少なくとも一部が、外部装置によって反射状態が検出されるべき特定領域として構成され、
前記特定領域は、照射される波長により透過率が変化するインク層、又は照射される波長により発光状態が変化するインク層、若しくは化学反応によって発色状態が変化する材料層、が少なくとも二層以上重ねられた構成となっており、且つ特定波長の光が照射された場合に予め定められた反射率で反射光が生じる構成となっていることを特徴とする印刷媒体。
【発明の詳細な説明】
【技術分野】
【０００１】
本発明は、判定システム、判定装置、印刷媒体に関するものである。
【背景技術】
【０００２】
現在、チケットや金券など、様々な印刷媒体が用いられており、その印刷媒体の種別を判別するニーズも様々に存在する。例えば、チケットや金券などの金銭的価値が高い媒体は偽造されるリスクが高いため、判別対象の媒体が正規媒体であるか偽造媒体であるかを、媒体に付されるフォログラムなどによって判別している。
【先行技術文献】
【特許文献】
【０００３】
【特許文献１】特開２０１０−３１１０６号公報
【発明の概要】
【発明が解決しようとする課題】
【０００４】
このように媒体にフォログラムを印刷しておくと、偽造防止の面で一定の効果が得られるが、フォログラムを用いる場合、一般的には、人間が目で見て真贋判定を行うため、作業効率が悪く、判定精度にバラつきがあるという問題がある。また、このような問題は、真贋判定に限らず、媒体の判別を人間の感覚で行おうとする様々なケースで生じ得る。
【０００５】
本発明は、上述した課題を解決するためになされたものであり、印刷媒体の判定がより自動的に且つより正確に行われやすい判定システム、判定装置、及び印刷媒体を提供することを目的とする。
【課題を解決するための手段】
【０００６】
第１の発明は、
印刷媒体と、前記印刷媒体を判定する判定装置と、を備え、
前記印刷媒体の特定領域は、照射される波長により透過率が変化するインク層、又は照射される波長により発光状態が変化するインク層、若しくは化学反応によって発色状態が変化する材料層、が少なくとも二層以上重ねられた構成となっており、
前記判定装置は、
特定波長の照明光を照射する照明部と、
前記照明部から前記印刷媒体に対して前記照明光が照射された場合に当該印刷媒体からの光を受光する受光部と、
前記照明光が前記印刷媒体に照射されて生じる当該印刷媒体からの光を前記受光部が受光した受光結果に基づき、前記特定領域での反射率又は前記特定領域からの光の光量の少なくともいずれかを検出値として検出する検出部と、
前記検出部によって検出された前記検出値に基づいて前記印刷媒体の種別を判定する判定部と、
を有することを特徴とする。
【０００７】
第２の発明は、
情報コードが印刷された印刷媒体と、
前記印刷媒体を判定する判定装置と、
を備え、
前記情報コード内の特定領域には、照射される波長により透過率が変化するインク層、又は照射される波長により発光状態が変化するインク層、若しくは化学反応によって発色状態が変化する材料層、が少なくとも設けられ、
前記判定装置は、
特定波長の照明光を照射する照明部と、
前記照明部から前記印刷媒体に対して前記照明光が照射された場合に、少なくとも前記情報コードからの光を受光して前記情報コードの撮像画像を生成する受光部と、
前記受光部での反射光の受光結果に基づいて前記情報コードを解読する解読部と、
前記照明光が前記印刷媒体に照射されて生じる当該印刷媒体からの光を前記受光部が受光した受光結果に基づき、前記特定領域での反射率又は前記特定領域からの光の光量の少なくともいずれかを検出値として検出する検出部と、
前記検出部によって検出された前記検出値に基づいて前記印刷媒体の種別を判定する判定部と、
を有することを特徴とする。
【０００８】
第３の発明は、
照射される波長により透過率が変化するインク層、又は照射される波長により発光状態が変化するインク層、若しくは化学反応によって発色状態が変化する材料層、が少なくとも特定領域に二層以上重ねられた構成の印刷媒体を判定対象とし、
特定波長の照明光を照射する照明部と、
前記照明部から前記印刷媒体に対して前記照明光が照射された場合に当該印刷媒体からの光を受光する受光部と、
前記照明光が前記印刷媒体に照射されて生じる当該印刷媒体からの光を前記受光部が受光した受光結果に基づき、前記特定領域での反射率又は前記特定領域からの光の光量の少なくともいずれかを検出値として検出する検出部と、
前記検出部によって検出された前記検出値に基づいて前記印刷媒体の種別を判定する判定部と、
を有することを特徴とする。
【０００９】
第４の発明は、
情報コードが印刷され、前記情報コード内の特定領域に、照射される波長により透過率が変化するインク層、又は照射される波長により発光状態が変化するインク層、若しくは化学反応によって発色状態が変化する材料層、が少なくとも設けられてなる印刷媒体を判定対象とし、
特定波長の照明光を照射する照明部と、
前記照明部から前記印刷媒体に対して前記照明光が照射された場合に、少なくとも前記情報コードからの光を受光して前記情報コードの撮像画像を生成する受光部と、
前記受光部での反射光の受光結果に基づいて前記情報コードを解読する解読部と、
前記照明光が前記印刷媒体に照射されて生じる当該印刷媒体からの光を前記受光部が受光した受光結果に基づき、前記特定領域での反射率又は前記特定領域からの光の光量の少なくともいずれかを検出値として検出する検出部と、
前記検出部によって検出された前記検出値に基づいて前記印刷媒体の種別を判定する判定部と、
を有することを特徴する。
【００１０】
第５の発明は、
基材層に識別マークが印刷されてなる印刷媒体であって、
前記識別マーク内の少なくとも一部が、外部装置によって反射状態が検出されるべき特定領域として構成され、
前記特定領域は、照射される波長により透過率が変化するインク層、又は照射される波長により発光状態が変化するインク層、若しくは化学反応によって発色状態が変化する材料層、が少なくとも二層以上重ねられた構成となっており、且つ特定波長の光が照射された場合に予め定められた反射率で反射光が生じる構成となっている。
【発明の効果】
【００１１】
例えば、特許文献１の技術では、基材上に単層の偽造防止インキを設けた偽造防止ステッカーを用いている。そして、偽造判定の際には、撮像された偽造防止ステッカーの撮像画像内に偽造防止インキによる形状が見えるか否かによって判定を行っている。しかしながら、このような単層構成では、偽造防止インキの特性と同等の特性を有するインキが製造されやすいという問題がある。また、このように偽造防止インキの形状を目視で確認する方法では、判定作業を行う作業者の負担が大きく、判定にばらつきが生じやすいという問題もある。
一方、請求項１の発明では、印刷媒体の特定領域は、照射される波長により透過率が変化するインク層、又は照射される波長により発光状態が変化するインク層、若しくは化学反応によって発色状態が変化する材料層、が少なくとも二層以上重ねられた構成となっている。このように、印刷媒体の特定領域に、特殊な層（照射される波長により透過率が変化するインク層、又は照射される波長により発光状態が変化するインク層、若しくは化学反応によって発色状態が変化する材料層）が少なくとも二層以上重ねられた構成となっているため、判定対象となる特定領域の特性を複雑化することができる。従って、特定領域の内容を知らない第三者が特定領域を再現することが難しくなり、印刷媒体の偽造をより困難にすることができる。
更に、判定装置では、特定波長の照明光が印刷媒体に照射されて生じる光を受光部が受光した受光結果に基づき、特定領域での反射率又は特定領域からの光の光量の少なくともいずれかを検出値として検出し、その検出値に基づいて印刷媒体の種別を判定する構成となっている。つまり、特殊な層が重ねられた特定領域からの光の状態をセンサによって検出し、その検出で得られた具体的な数値に基づいて印刷媒体の判定を自動的に行うことができるため、判定に伴う作業負荷をより抑えることができ、且つより正確な判定が可能となる。
【００１２】
請求項２の発明では、判定部は、検出部によって検出された検出値が所定範囲内であるか否かに基づいて印刷媒体の真贋を判定する。このように、特定領域での検出で得られた具体的な数値を明確な数値範囲と比較して真贋を判定することで、ばらつきの少ないより正確な真贋判定が可能となる。
【００１３】
請求項３の発明では、印刷媒体に、特定領域が存在する範囲を示す位置マークが形成されている。この構成によれば、位置マークを利用して特定領域をより正確に把握しやすくなり、ひいては判定の精度も高まる。
【００１４】
請求項４の発明では、印刷媒体が基材層を備えており、特定波長の照明光が照射された場合の、特定領域外の基材層の配置領域での光の反射率と位置マークが付された領域での光の反射率との差が、特定領域での光の反射率と特定領域外の基材層の配置領域での光の反射率との差よりも大きい所定差以上となるように構成されている。
このように、特定波長の照明光が照射されたときの特定領域外の基材層配置領域での反射率と位置マークが付された領域での反射率との差が、特定領域での差よりもある程度大きくなるように印刷媒体を構成しておけば、基材層配置領域での反射状態と位置マークでの反射状態との差を利用して位置マークが付された領域をより正確に認識しやすくなる。
なお、「特定領域外の基材層の配置領域」は、特定領域外において基材層が露出する領域であってもよく、特定領域外において基材層と他の一層（照射される波長により透過率が変化するインク層、又は照射される波長により発光状態が変化するインク層、若しくは化学反応によって発色状態が変化する材料層）が重なった領域であってもよい。
【００１５】
請求項５の発明では、印刷媒体が基材層を備えており、検出部は、照明光が印刷媒体で反射して生じる光を受光部が受光した受光結果に基づき、特定領域外において基材層が配置される所定領域での反射率又は所定領域からの光の光量の少なくともいずれかを比較値として検出し、判定部は、検出値と比較値とに基づいて印刷媒体の種別を判定する。
このように、特定領域外の所定領域から得られた比較値と特定領域から得られた検出値との相対的な関係に基づいて印刷媒体の種別を判定すれば、照明の照度のばらつき或いは検出部のばらつきを抑えた判定が可能となる。なお、「特定領域外において基材層が配置される所定領域」は、特定領域外において基材層が露出する領域であってもよく、特定領域外において基材層と他の一層（照射される波長により透過率が変化するインク層、又は照射される波長により発光状態が変化するインク層、若しくは化学反応によって発色状態が変化する材料層）が重なった領域であってもよい。
【００１６】
請求項６の発明では、印刷媒体に情報コードが形成され、情報コードの少なくとも一部が特定領域として構成されており、受光部は、照明部から印刷媒体に対して照明光が照射された場合に、少なくとも情報コードからの光を受光して情報コードの撮像画像を生成し、判定装置は、受光部での受光結果に基づいて情報コードを解読する解読部を備えている。このようにすることで、情報コードの基本的機能は確保しつつ、情報コードを形成する層を印刷媒体の判定に利用することができる。
【００１７】
請求項７の発明は、情報コード内の特定領域に、照射される波長により透過率が変化するインク層、又は照射される波長により発光状態が変化するインク層、若しくは化学反応によって発色状態が変化する材料層、が少なくとも設けられている。そして、判定装置は、照明光が印刷媒体に照射されて生じる当該印刷媒体からの光を受光部が受光した受光結果に基づき、特定領域での反射率又は特定領域からの光の光量の少なくともいずれかを検出値として検出し、その検出された検出値に基づいて印刷媒体の種別を判定する構成となっている。
この構成によれば、情報コードの基本的機能は確保しつつ、情報コードを形成する層を印刷媒体の判定に利用することができる。更に、情報コードの特定領域からの光の状態をセンサによって検出し、その検出で得られた具体的な数値に基づいて印刷媒体の判定を自動的に行うことができるため、判定に伴う作業負荷をより抑えることができ、且つより正確な判定が可能となる。
【００１８】
請求項８の発明は、情報コードが予め定められた形状の特定パターンを備えており、特定パターンの少なくとも一部が特定領域として構成されている。この構成によれば、一定形状の特定パターンを検出することで特定領域の位置を特定又は絞り込むことができるため、判定に利用する特定領域の位置をより把握しやすくなる。
【００１９】
請求項９の発明は、検出部が、受光部によって生成された情報コードの撮像画像において特定パターンの位置を検出する第１位置検出部と、第１位置検出部によって検出された特定パターンの位置に基づき、撮像画像における特定パターンの領域内での特定領域の位置を検出する第２位置検出部とを有している。この構成によれば、第１位置検出部によって特定パターンの位置を検出した上で、更に第２位置検出部により特定パターン領域内における特定領域の相対位置を検出することができるため、特定領域をより一層正確に且つ迅速に特定しやすくなる。
【００２０】
請求項１０の発明では、情報コードは、複数種類のセルが配列されてなるものであり、少なくともいずれかの種類のセルの少なくとも一部が特定領域として構成されている。この構成では、いずれかの種類のセルを、データ記録以外の用途で利用することができる。また、情報コード解読時に行われるセル位置の検出処理の少なくとも一部処理を、特定領域の検出に利用することができるため、処理効率を高めやすく、処理の遅延を抑制しやすくなる。
【００２１】
請求項１１の発明では、情報コードには、判定装置で利用可能な情報として、検出値の基準となる基準値又は基準範囲を特定する基準情報が記録されており、判定装置において、解読部は、情報コードから基準情報を解読し、判定部は、解読部によって解読された基準情報と、検出部によって検出された検出値とに基づいて印刷媒体の種別を判定する。
この構成では、印刷媒体の種別の判定に用いる基準情報が前もって情報コードに記録されるため、このような基準情報が予め用意されていない判定装置でも基準情報に基づく判定が可能となる。
【００２２】
請求項１２の発明では、情報コードには、判定装置で利用可能な情報として、特定波長を特定する情報が記録されており、判定装置において、解読部は、情報コードから特定波長を特定する情報を解読し、照明部は、複数の波長の光を照射可能に構成され、解読部によって解読された情報に基づいて特定波長を選択し、当該特定波長の照明光を照射する。
この構成では、判定に際して必要となる「特定波長」を判定装置が予め把握していなくても、情報コードの解読によって把握することが可能となる。
【００２３】
請求項１３の発明では、情報コードには、判定装置で利用可能な情報として、特定領域の位置を示す情報が記録されている。そして、判定装置において、検出部は、解読部によって解読された情報に基づき、受光部で生成された情報コードの撮像画像内での特定領域の位置を検出し、その検出された特定領域での反射率又は特定領域からの光の光量の少なくともいずれかを検出値として検出する。
この構成では、情報コードで定められた特定領域の位置を判定装置が予め把握していなくても、情報コードの読み取りによって特定領域の位置をより正確に特定することができる。また、運用において特定領域の位置を変更したければ、情報コードの内容を変更すれば良く、特定領域の位置を適宜変更するセキュリティ性の高い運用を容易に行いやすくなる。
【００２４】
請求項１４の発明では、情報コードには、判定装置で利用可能な情報が暗号化されて暗号データとして記録されており、判定装置の解読部は、暗号データの暗号を解読する暗号解読部を有する。この構成では、印刷媒体の判定に利用する情報を秘匿化して格納しておくことができるため、判定に用いる重要な情報を扱う上で、セキュリティ面が強化される。
【００２５】
請求項１５の発明では、情報コードは、少なくとも判定装置で利用可能な情報が所定の暗号化キーに基づいて暗号化された暗号データが記録される非開示データ領域と、暗号化キーによる暗号化がなされていない所定情報が記録された開示データ領域と、を有する。
このようにすることで、判定に用いる重要な情報のセキュリティ性を高めると共に、相対的にセキュリティ性が低い情報をも使い分けることができ、データを利用する上での自由度が一層高まる。
【００２６】
請求項１６の発明では、検出部は、特定領域の複数位置での検出値を検出し、且つそれら複数位置での検出値のメディアン値を求め、判定部は、メディアン値に基づいて、印刷媒体の種別を判定する。
このように複数位置から得られた検出値のメディアン値を判定に用いることで、汚れの影響を抑えた判定が可能となる。
【００２７】
請求項１７の発明は、印刷媒体は、特定領域が所定形状で構成されており、判定装置は、受光部で生成された画像から特定領域の形状を認識する形状認識部を備え、判定部は、形状認識部によって認識された形状と、検出部によって検出された検出値とに基づいて印刷媒体の種別を判定する。
このように、特定領域での反射率又は特定領域からの光の光量だけでなく、特定領域の形状をも加味して判定を行えば、より多くの要素を考慮したより正確性の高い判定が可能となる。
【００２８】
請求項１８の発明では、照明部は、照明光として所定の複数波長の光をそれぞれ照射可能とされており、受光部は、照明部から印刷媒体に対して複数波長の照明光がそれぞれ照射された場合に、それら各波長の照明光が印刷媒体に照射されて生じる光をそれぞれ受光し、検出部は、各波長の照明光が印刷媒体に照射されたときの特定領域での検出値をそれぞれ検出し、判定部は、各波長の照明光が印刷媒体に照射されたときに検出部でそれぞれ得られる検出値に基づいて印刷媒体の種別を判定する。
この構成では、複数波長の光による複数の結果によって特定領域を評価することができるため、より正確性の高い判定が可能となる。また、このような判定に適応し得る媒体を第三者が偽造することは非常に困難になる。
【００２９】
請求項１９の発明では、照明部が、照明光として、所定の第１波長の光、第１波長よりも小さい１又は複数の第２波長の光、第１波長よりも大きい１又は複数の第３波長の光をそれぞれ照射可能とされている。そして、印刷媒体は、第１波長の光、１又は複数の第２波長の光、１又は複数の第３波長の光がそれぞれ照射された場合の特定領域での各反射率のうち、第１波長の光が照射されたときの反射率が最も大きく又は最も小さくなるように構成されている。そして、検出部は、印刷媒体に対し第１波長の光、１又は複数の第２波長の光、１又は複数の第３波長の光がそれぞれ照射された場合に、それぞれの光での検出値を検出し、判定部は、検出部で検出される複数の検出値において、第１波長の光での検出値が最大値又は最小値であるか否かに基づいて印刷媒体の種別を判定する。
特定領域での反射率と波長との関係をグラフ化した反射率特性曲線は、特定領域の層の厚さによって全体的に低い反射率或いは高い反射率にシフトする懸念があり、特定領域を印刷する際の印刷工程で厚さがばらつくと、反射率特性曲線がシフトしてばらついてしまう懸念がある。
これに対し、請求項１９の発明では、印刷媒体に対し第１波長の光、第２波長の光、第３波長の光がそれぞれ照射された場合に、それぞれの光での検出値を検出し、それら検出される複数の検出値において、第１波長の光での検出値が最大値又は最小値であるか否かに基づいて印刷媒体の種別を判定している。印刷媒体の特定領域は、第１波長の光が照射されたときの反射率が最も大きく又は最も小さくなるように構成されているため、仮に印刷工程で特定領域の層の厚さがばらついても、第１波長の光が照射されたときの反射率が最も大きく又は最も小さくなるという関係は維持されやすい。従って、第１波長の光での検出値が最大値又は最小値であるか否かに基づいて印刷媒体の種別を判定すれば、厚さがばらついた場合でも特定領域に正規の層が配置されているかをより正確に判定しやすく、一層正確な媒体判定が可能となる。
【００３０】
請求項２０の発明によれば、請求項１と同様の効果を奏する判定装置を実現できる。
請求項２１の発明によれば、請求項７と同様の効果を奏する判定装置を実現できる。
【００３１】
請求項２２の発明では、識別マーク内の一部の特定領域に、照射される波長により透過率が変化するインク層、又は照射される波長により発光状態が変化するインク層、若しくは化学反応によって発色状態が変化する材料層、が少なくとも二層以上重ねられた構成となっている。
このように、識別マーク内の特定領域に、特殊な層（照射される波長により透過率が変化するインク層、又は照射される波長により発光状態が変化するインク層、若しくは化学反応によって発色状態が変化する材料層）が少なくとも二層以上重ねられた構成となっているため、判定対象となる特定領域の特性を複雑化することができる。従って、特定領域の内容を知らない第三者が特定領域を再現することが難しくなり、印刷媒体の偽造をより困難にすることができる。また、識別マークにおいて、特定領域が部分的に設けられているため、特定領域の位置を知らない第三者の解析をより困難にすることができる。
【図面の簡単な説明】
【００３２】
【図１】図１は、第１実施形態に係る判定システムを概念的に説明する説明図である。
【図２】図２（Ａ）は、図１の判定システムで用いられる印刷媒体を概念的に示す平面概略図であり、図２（Ｂ）は、その印刷媒体を概念的に示す側面概略図である。
【図３】図３は、第１のインクの層、第２のインクの層、第３のインクの層、第１のインクと第２のインクを重ねた層、のそれぞれの波長と反射率の関係を示すグラフである。
【図４】図４は、特定領域での照明光の反射の概念を説明する説明図である。
【図５】図５は、第２実施形態の判定システムで用いられる印刷媒体の平面構成の一部を概念的に示す説明図である。
【図６】図６は、第３実施形態の判定システムで用いられる印刷媒体の平面構成の一部を概念的に示す説明図である。
【図７】図７は、第４実施形態の判定システムで用いられる印刷媒体の平面構成の一部を概念的に示す説明図である。
【図８】図８は、第５実施形態の判定システムで用いられる印刷媒体の平面構成の一部を概念的に示す説明図である。
【図９】図９（Ａ）は、第６実施形態の判定システムの印刷媒体に形成される情報コードのデータフォーマット例を示す説明図であり、図９（Ｂ）は、図９（Ａ）に示す秘匿コードの構成例１であり、図９（Ｃ）は図９（Ａ）に示す秘匿コードの構成例２、図９（Ｄ）は、図９（Ａ） に示す秘匿コードの構成例３、をそれぞれ示すものである。
【図１０】図１０は、１型のＱＲコード（登録商標）の構成例を示す説明図である。
【図１１】図１１は、第６実施形態の判定システムで用いられる印刷媒体の特定領域での波長と反射率との関係を示すグラフである。
【図１２】図１２は、第６実施形態の判定システムの判定装置で行われる判定処理の流れを例示するフローチャートである。
【図１３】図１３は、図１２の判定処理で行われるコード解読処理の流れを例示するフローチャートである。
【図１４】図１４は、図１２の判定処理で行われる真贋判定処理の流れを例示するフローチャートである。
【図１５】図１５は、第７実施形態の判定システムに関し、汚れがない場合の平均値とメディアン値の関係を例示する説明図である。
【図１６】図１６は、第７実施形態の判定システムに関し、汚れがある場合の平均値とメディアン値の関係を例示する説明図である。
【図１７】図１７は、第８実施形態の判定システムに関し、第１波長、第２波長、第３波長の光での反射率の検出の考え方を説明する説明図である。
【図１８】図１８は、第８実施形態の判定システムに関し、反射率特性曲線がシフトする考え方を説明する説明図である。
【図１９】図１９（Ａ）は、他の実施形態に関し、識別マークの変形例１を示す説明図であり、図１９（Ｂ）は、識別マークの変形例２を示す説明図であり、図１９（Ｃ）は、識別マークの変形例２を示す説明図である。
【発明を実施するための形態】
【００３３】
[第１実施形態]
以下、本発明を具現化した第１実施形態について、図面を参照して説明する。
図１に示す判定システム１（以下、単にシステム１ともいう）は、印刷媒体１００と、判定装置３とを備えており、印刷媒体１００からの光を判定装置３で受光して判定するシステムとして構成されている。
【００３４】
（印刷媒体）
まず、印刷媒体１００について説明する。
図２（Ａ）、図２（Ｂ）に示すように、印刷媒体１００は、所定の厚さのシート状或いは板状の基材層１０４に識別マーク１１０が印刷された構成となっている。そして、この識別マーク１１０内の一部が、判定装置３によって反射状態が検出されるべき特定領域ＡＲとして構成されている。なお、図２に示す基材層１０４はあくまで一例であり、基材層１０４の平面形状や厚さ、材質、表面色などは様々に選択できる。また、図２に示す第１インク層１１４、第２インク層１１６、第３インク層１１２は、あくまで概念的に示すものであり、層の厚さや形状は様々に選択できる。例えば、紙、樹脂シート、金属シートなどとして構成された基材層１０４の厚さよりも大幅に厚さが小さくなるように第１インク層１１４、第２インク層１１６、第３インク層１１２を形成してもよい。
【００３５】
ここで、識別マークを構成するインク等について説明する。本構成では、識別マーク１１０を形成するために、異なる三種類のインク（第１のインク、第２のインク、第３のインク）が用いられており、これら三種類のインクは、顔料の構成及び配合比率の少なくともいずれかが互いに異なっている。第１のインクによる第１インク層１１４は、特定領域ＡＲにおいて基材層１０４上の第１層１０１を構成しており、この第１層１０１によって表示される図形は円形図形となっている。第２のインクによる第２インク層１１６は、第１インクによる層１１４を覆う層、又は第３インクによる層１１２を覆う層、若しくは、これらの層１１４、１１２を覆わずに基材層１０４上に配置される層として構成されている。この第２のインクによる第２インク層１１６において、第１層１０１上を覆う領域は、特定領域ＡＲにおいて第１層１１４上に重なる第２層１０２として機能する。
【００３６】
そして、これら第１のインク、第２のインク、第３のインクは、各波長の光を照射したときの透過率の特性（各波長の光を当てたときの波長と透過率との関係）がいずれも異なっており、これに関係して、各波長の光を照射したときの反射率の特性（各波長の光を当てたときの波長と反射率との関係）がいずれも異なっている。各インクの反射率の特性は例えば図３のようになっている。
【００３７】
例えば、第１のインクは、各波長の光を当てたときの波長と反射率との関係が図３の二点鎖線Ｘ１のようになっており、第２のインクは、各波長の光を当てたときの波長と反射率との関係が図３の実線Ｘ２のようになっており、第３のインクは、各波長の光を当てたときの波長と反射率との関係が図３の実線Ｘ３のようになっている。第１のインク、第２のインク、第３のインクをＸ１、Ｘ２、Ｘ３のような特性にするには、顔料の選定や顔料の配合比率の調整によって行えばよい。なお、図３での曲線Ｘ１、Ｘ２、Ｘ３は、インク層の厚さを同一の所定厚さとした場合において同一の所定基材を用いた場合のインク層からの反射率の一例である。また、曲線Ｘ４は、Ｘ１の特性の第１インクの層とＸ２の特性の第２インクの層を重ねた積層領域において、各波長の光を当てたときの波長と反射率との関係が示すグラフである。この曲線Ｘ４は、曲線Ｘ１、Ｘ２、Ｘ３の場合と同一の所定基材を用いた場合のインク層からの反射率の一例である。
【００３８】
例えば、図３のＸ１の特性となるように公知の１又は複数の特定顔料を選定し顔料の配合比率を調整することで第１のインクを得ることができる。第１のインクは、波長が３８０〜８１０ｎｍの可視光が照射されたときの反射率が５０％以下と小さく、波長が８５０ｎｍ以上の赤外光が照射されたときの反射率が８０％以上と大きくなっている。
【００３９】
同様に、図３のＸ２の特性となるように公知の１又は複数の特定顔料を選定し顔料の配合比率を調整することで第２のインクを得ることができる。第２のインクは、例えば波長が５５０ｎｍ〜８１０ｎｍの可視光が照射されたときの反射率が４０％以下と大きく、例えば波長が８５０ｎｍ以上１０００ｎｍ以下の赤外光が照射されたときの反射率が４０％以下と小さくなっている。
【００４０】
同様に、図３のＸ３の特性となるように公知の１又は複数の特定顔料を選定し顔料の配合比率を調整することで第３のインクを得ることができる。第３のインクは、例えば波長が３００ｎｍ〜１２５０ｎｍの光が照射されたときの反射率が１０％以下と小さくなっている。
【００４１】
そして、図２に示す特定領域ＡＲは、第１のインクによるインク層（第１層１０１）と第２のインクによるインク層（第２層１０２）とが基材層１０４上に重ねられた構成となっている。第１のインクと第２のインクとが重ねられた層の特性は、図３のＸ４のようになっている。この特定領域ＡＲ１の積層領域では、例えば波長が８００ｎｍ以下の可視光が照射されたときの反射率が３０％以下と小さく、波長が８１０ｎｍ程度の光が照射されたときの反射率が３３％程度となっている。また、波長が８５０ｎｍ以上１０００ｎｍ以下の赤外光が照射されたときの反射率が３０％未満と小さくなっており、この波長領域では、波長９３０ｎｍ程度のときに反射率が２２％程度と最少となっている。このように、第１のインクと第２のインクとが重ねられた層は、波長が８５０ｎｍ以上１０００ｎｍ以下の赤外光が照射されたときの反射率よりも、それより小さい８１０ｎｍ程度の波長の可視光が照射されたときの反射率のほうが大きく、更に、波長が８１０ｎｍ程度の可視光が照射されたときの反射率よりも、それより小さい波長が８００ｎｍ以下の可視光が照射されたときの反射率のほうが小さくなっており、より複雑な反射率特性となっている。
【００４２】
一般的に、物体に光を当てると、一部は物体で反射する反射光となり、一部は物体を透過する透過光となり、一部は物体に吸収され熱等に変換される。図４のように、インクＡ（第２のインク）と、インクＢ（第１のインク）を２重に重ねて印刷した特定領域ＡＲに波長λの照明光を照射したときの特定領域ＡＲ全体での反射率ｒ（λ）は、照射光がインクＡの上面（第２層１０２の上面）で反射したときの反射率ｒ１、インクＢの上面（第１層１０１の上面）で反射したときの反射率ｒ２、基材層１０４の上面で反射したときの反射率ｒ３を加算した値になる。インクＡでの反射率をｒａ（λ）、透過率をｔａ（λ）とし、インクＢでの反射率をｒｂ（λ）、透過率ｔｂ（λ）とし、基材層１０４の上面での反射率をＲとした場合、インクＡ、Ｂを２重に重ねた反射率は以下の数１のように求めることができる。
【００４３】
【数１】
2015060270.tif 000003
【００４４】
このように識別マーク１１０内の特定領域ＡＲでの反射率は、照射される波長により透過率が変化する第１インクの層（第１層１０１）の反射率及び透過率と、照射される波長により透過率が変化する第２インクの層（第２層１０２）での反射率及び透過率と、基材層１０４での反射率とが影響する。そして、各波長における特定領域ＡＲでの反射率は、各波長での第１層１０１、第２層１０２の特性（特に各波長に応じた透過率特性或いは各波長に応じた吸収率特性）を反映した値になる。従って、特定領域ＡＲに対し「特定波長」の光が照射された場合には、この特定領域ＡＲでは、予め定められた反射率（特定波長での第１層１０１、第２層１０２の透過率特性を反映した反射率）で反射光が生じることになる。なお、「特定波長」は、後述する判定装置３での判定の際に、照明光として用いられる波長である。
【００４５】
図２の例では、印刷媒体１００の基材層１０４上に、上述の第１インクによる第１インク層１１４（第１層１０１）が円形図形として印刷されており、この円形図形が表示された領域が特定領域ＡＲとなっている。そして、基材層１０４の上面の方向において円形図形として形成された第１インク層１１４を囲む構成で、上述の第３インクによる第３インク層１１２が印刷されている。この第３インク層１１２は、特定領域ＡＲが存在する範囲を示す円環状の位置マークとして表示されている。図２（Ａ）の例では、第３インク層１１２による位置マークは、例えば、第１インク層１１４の周囲を囲むように周方向全体にわたって切れ目なく連続した環状図形となっている。但し、位置マークの図形はこの例に限られるものではなく、特定領域ＡＲの範囲を示す図形であればよい。例えば、第１インク層１１４の周囲を囲むように周方向全体にわたって断続的に続く環状図形であってもよい。また、形状も、円環状に限られず、四角枠状、三角枠状等の多角形枠状であってもよい。
【００４６】
また、本構成では、「特定波長」の照明光が照射された場合の、特定領域ＡＲ外の基材層１０４の配置領域（具体的には、第１インク層１１４、第２インク層１１６、第３インク層１１２がいずれも設けられていない領域）での光の反射率と位置マーク（第３インク層１１２）が付された領域での光の反射率との差が所定差以上となるように構成されている。例えば、基材層１０４の基材色が白色、黄色等の白系統であり、基材層１０４での「特定波長」の照明光の反射率が１００％に近い場合、位置マーク（第３インク層１１２）が付された領域での反射率は０%に近くするとよい。この場合、第３インク層１１２のインクは、図３のＸ３のように広い波長範囲で反射率が非常に小さくなるインクを用いるとよい。なお、図２の例では、第３インク層１１２による位置マークが第２インク層１１６によって覆われる例を示しているが、第３インク層１１２による位置マークは、第２インク層１１６によって覆われていなくてもよい。逆に、基材層１０４の基材色が黒色、濃いグレー等の黒系統であり、基材層１０４での「特定波長」の照明光の反射率が０％に近い場合、位置マーク（第３インク層１１２）が付された領域での反射率は１００%に近くするとよい。
【００４７】
（判定装置）
次に、判定装置３のハードウェア構成について、図１等を参照して説明する。
図１に示すように、判定装置３は、主に、カメラ部１０と、照明部２０と、認識部３０とによって構成されており、照明部２０により印刷媒体１００（判定対象ラベル）に照明光を照射しつつ、カメラ部１０によってその印刷媒体１００を撮像しうる構成となっている。そして、カメラ部１０によって生成された撮像画像の電気信号は、認識部３０によって処理され、所定の判定処理が行われるようになっている。なお、これらの部品は、例えば図略のプリント配線板に実装あるいは図略のハウジング内に内装されている。判定装置３は、携帯型の端末として構成されていてもよく、据置型の装置として構成されていてもよい。或いは、携帯方式と据置方式を併用できる構成であってもよい。
【００４８】
カメラ部１０は、主に、レンズ１１、受光センサ１２（光学的センサ）、増幅器１３、センサ駆動回路１４を備えている。レンズ１１は、外部から読取口（図示略）を介して入射する入射光を集光して受光センサ１２の受光面ａに像を結像可能な結像光学系として機能するもので、例えば、鏡筒とこの鏡筒内に収容される複数の集光レンズとにより構成されている。受光センサ１２は、印刷媒体１００に照射されて反射した反射光を受光可能に構成されるもので、例えば、Ｃ−ＭＯＳやＣＣＤ等の固体撮像素子である受光素子を２次元に配列したエリアセンサが、これに相当する。受光センサ１２は、レンズ１１を介して入射する入射光をこの受光面で受光可能となるように、例えば図略のプリント配線板に実装されている。この受光センサ１２では、各受光素子（各画素）での受光量を示す電気信号がそれぞれ出力されるようになっている。増幅器１３は、受光センサ１２で生成された受光信号を増幅する機能を有する。また、センサ駆動回路１４は、受光センサ１２を公知の駆動方式で駆動し、受光センサ１２を構成する各画素からの信号を順次出力させる回路である。
【００４９】
照明部２０は、照明光を発光可能な照明光源として機能するものである。図１の例では、４種類の光源（ＬＥＤ２１ａ，２１ｂ，２１ｃ，２１ｄ）によって照明部２０が構成されており、各光源からは異なる波長の照明光が個別に照射可能な構成となっている。なお、図１の例では、４種類の光源を例示しているが、光源の種類（照射可能な波長の数）は４以上であってもよく、４以下であってもよい。また、各種類の光源は、単一のＬＥＤで構成されていてもよく、同種の複数のＬＥＤによって構成されていてもよい。
【００５０】
認識部３０は、Ａ／Ｄ変換器３１、画像取り込み部３２、メモリ３３、制御回路（マイコン）３４、照明駆動回路３５、電源部３６、電源回路３７、インタフェイス部３８、スイッチ３９、表示部４０などによって構成されている。この認識部３０は、マイコンとして機能し得る制御回路３４およびメモリ３３を中心として構成される。
【００５１】
この構成では、光学系の受光センサ１２で得られた画像信号は、垂直同期信号と水平同期信号に同期して出力され、増幅器１３に入力されることにより所定ゲインで増幅された後、Ａ／Ｄ変換器３１に入力されることで、アナログ信号からディジタル信号に変換される。そして、ディジタル化された画像信号、つまり画像データは、画像取り込み部３２によって順次メモリ３３に入力され、メモリ３３内の画像データ蓄積領域に蓄積される。
【００５２】
メモリ３３は、公知の記憶装置によって構成されており、例えばＲＡＭ（ＤＲＡＭ、ＳＲＡＭ等）やＲＯＭ、その他の不揮発性メモリ等の半導体メモリ装置がこれに相当する。このメモリ３３のうちのＲＡＭには、画像データ蓄積領域のほかに、制御回路３４が算術演算や論理演算等の各処理時に利用する作業領域等も確保可能に構成されている。またＲＯＭには、後述する判定処理等を実行可能な所定プログラムやその他、照明部２０、受光センサ１２等の各ハードウェアを制御可能なシステムプログラム等が予め格納されている。
【００５３】
制御回路３４は、判定装置３全体を制御可能なマイコンによって構成され、ＣＰＵ、システムバス、入出力インタフェース等からなり、メモリ３３とともに情報処理装置を構成し得るもので情報処理機能を有する。この制御回路３４は、内蔵された入出力インタフェースを介して種々の入出力装置と接続可能に構成されている。
【００５４】
照明駆動回路３５は、制御回路３４からの指示に従い、照明部２０の照明のオンオフを制御する。具体的には、４種類の光源（ＬＥＤ２１ａ，２１ｂ，２１ｃ，２１ｄ）のオンオフを個別に制御できるようになっており、例えば、制御回路３４からいずれかの光源を駆動する指示を受けた場合に、その光源を選択的に駆動させるようにオンオフを切り替える。
【００５５】
電源系は、電源部３６や公知の電源回路３７等により構成されており、判定装置３を構成する各装置や各回路に駆動電力を供給し得るように構成されている。電源部３６は、外部の商用電源から電力供給を受ける構成であってもよく、所定の直流電圧を発生可能な電池（二次電池等）として構成されていてもよい。
【００５６】
インタフェイス部３８は、判定装置３の外部に存在する外部装置と公知の通信方式で通信を行いうる通信部として機能しており、例えば、外部装置との間で、無線ＬＡＮ通信、赤外線通信などの公知の無線通信方式或いは有線通信方式で通信を行う構成となっている。また、スイッチ３９は、ユーザによる操作が可能なキーやボタンなどの複数の操作部よって構成されており、ユーザによる操作に応じた情報を装置内に入力するように構成されている。表示部４０は、液晶表示器などの公知の表示装置やランプなどによって構成されており、制御回路３４からの指示に応じた表示を行うようになっている。
【００５７】
（判定処理）
ここで、判定装置３による判定の一例として、図２に示す印刷媒体１００の真贋判定を例に挙げて説明する。まず、照明部２０によって１種類の特定波長の照明光を照射し、真贋判定を行う例を述べる。
【００５８】
判定装置３は、ユーザによるスイッチ３９の所定操作に応じて、照明部２０から「特定波長」の照明光を照射する。例えばＬＥＤ２１ａが「特定波長」の照明光を照射する光源である場合、このＬＥＤ２１ａを点灯させて照明光を照射する。そして、照明部２０から印刷媒体１００に対して特定波長の照明光が照射された場合において、印刷媒体１００が受光センサ１２による撮像範囲に位置する場合、特定波長の照明光が印刷媒体１００に照射されて生じる反射光を受光センサ１２によって受光する。つまり、特定波長の照明光が照射された状態の印刷媒体１００を受光センサ１２によって撮像する。
【００５９】
そして、照明光が印刷媒体１００に照射されて生じる当該印刷媒体１００からの光を受光センサ１２が受光した受光結果に基づき、特定領域ＡＲでの反射率又は特定領域ＡＲからの光の光量の少なくともいずれかを検出値として検出する。具体的には、特定波長の照明光が照射された状態の印刷媒体１００を受光センサ１２によって撮像して得られた撮像画像において、第３インク層１１２による位置マークを検出し、この位置マーク内の特定領域ＡＲの位置を検出する。例えば、位置マークが図２のように円環状であり、この位置マーク内の少なくとも中心位置に特定領域ＡＲが存在する場合、位置マーク内の中心位置を特定領域ＡＲの位置として当該位置での反射率又は当該位置からの反射光の光量を検出すればよい。なお、判定装置３による位置マークの検出は、例えば、判定装置３が位置マークの形状を予め把握しておき、撮像画像から位置マークの形状を抽出するようにしてもよい。或いは、位置マークでの反射率又は位置マークからの光の光量が所定の高値又は低値になる場合、位置マークでの反射率付近の範囲又は位置マークからの光の光量付近の範囲を抽出することで、位置マークを検出してもよい。
【００６０】
また、例えば、「検出値」として「特定領域ＡＲからの光の光量」を検出する場合、受光センサ１２で生成された印刷媒体１００の撮像画像における特定領域ＡＲの位置（例えば上記位置マーク内の中心位置）の受光量を「特定領域ＡＲからの光の光量」とすればよい。また、特定領域ＡＲの位置の受光量として当該特定領域ＡＲの位置の階調値（白黒の濃淡を示す階調値）を取得してもよい。
【００６１】
また、「検出値」として特定領域ＡＲでの反射率を検出する場合、上記「特定領域ＡＲからの光の光量」を「特定領域ＡＲでの反射率」として扱ってもよく、照明部２０での出力値に対する「特定領域ＡＲからの光の光量」の割合を「特定領域ＡＲでの反射率」としてもよい。なお、本構成では、このような「検出値」を取得する制御回路３４が「検出部」の一例に相当する。
【００６２】
そして、このように検出された「検出値」に基づいて印刷媒体１００の種別を判定する。具体的には、特定領域ＡＲの検出値が所定範囲内であるか否かに基づいて印刷媒体１００の真贋を判定する。例えば、図３の例では、特定領域ＡＲでの反射率が波長９３０ｎｍ付近で大きく落ち込み、その上下の波長範囲では、波長９３０ｎｍ付近よりも反射率が大きくなっている。このようなケースでは、例えば波長９３０ｎｍを「特定波長」とし、この特定波長の照明光を印刷媒体１００に照射したときの特定領域ＡＲでの「検出値」が一定値未満の場合に「真」（特定領域ＡＲに第１層１０１及び第２層１０２が積層された正規の媒体）と判定し、一定値以上の場合には「贋」（上記正規の媒体ではない媒体）と判定するように判定を行えばよい。この構成では、このような判定を行う制御回路３４が「判定部」の一例に相当する。
【００６３】
なお、上述した例では、特定領域ＡＲにおいて、照射される波長により透過率が変化するインク層が二層重ねられた構成となっているが、いずれか一方の層又は両方の層に代えて、照射される波長により発光状態が変化するインク層、又は化学反応によって発色状態が変化する材料層を設けてもよい。照射される波長により発光状態が変化するインク層としては、公知の赤外線発光インクや紫外線発光インクによる層が挙げられる。化学反応によって発色状態が変化する材料層としては、例えば、公知のサーマル紙と同様の材料からなる層が挙げられる。例えば、熱により化学反応を起こして変色する物質（色素前駆体であるロイコ色素と、それと反応する顕色剤）からなる材料層を特定領域ＡＲにおける基材層１０４上の層とし、この上層側を上述の第１インクや第２インク或いは照射される波長により発光状態が変化するインク層などによって覆うようにしてもよい。
【００６４】
以上のように、本構成では、印刷媒体１００の特定領域ＡＲは、照射される波長により透過率が変化するインク層、又は照射される波長により発光状態が変化するインク層、若しくは化学反応によって発色状態が変化する材料層、が少なくとも二層以上重ねられた構成となっている。このように、印刷媒体１００の特定領域ＡＲに、特殊な層（照射される波長により透過率が変化するインク層、又は照射される波長により発光状態が変化するインク層、若しくは化学反応によって発色状態が変化する材料層）が少なくとも二層以上重ねられた構成となっているため、判定対象となる特定領域ＡＲの特性を複雑化することができる。従って、特定領域ＡＲの内容を知らない第三者が特定領域ＡＲを再現することが難しくなり、印刷媒体１００の偽造をより困難にすることができる。
【００６５】
更に、判定装置３では、特定波長の照明光が印刷媒体１００に照射されて生じる光を受光センサ１２が受光した受光結果に基づき、「特定領域ＡＲでの反射率」又は「特定領域ＡＲからの光の光量」の少なくともいずれかを検出値として検出し、その検出値に基づいて印刷媒体１００の種別を判定する構成となっている。つまり、特殊な層が重ねられた特定領域ＡＲからの光の状態をセンサによって検出し、その検出で得られた具体的な数値に基づいて印刷媒体１００の判定を自動的に行うことができるため、判定に伴う作業負荷をより抑えることができ、且つより正確な判定が可能となる。
【００６６】
また、判定部に相当する制御回路３４は、特定領域ＡＲで検出された上記「検出値」が所定範囲内であるか否かに基づいて印刷媒体１００の真贋を判定している。このように、特定領域ＡＲでの検出で得られた具体的な数値を明確な数値範囲と比較して真贋を判定することで、ばらつきの少ないより正確な真贋判定が可能となる。
【００６７】
また、印刷媒体１００には、特定領域ＡＲが存在する範囲を示す位置マークが第３インク層１１２によって形成されている。そして、判定装置３は、この位置マークを検出可能とされている。この構成によれば、位置マークを利用して特定領域ＡＲをより正確に把握しやすくなる。
【００６８】
特に、特定領域ＡＲを小さくすると、特定領域ＡＲがデザイン性を阻害し難く、特定領域ＡＲを目立ちにくくすることでセキュリティ性を高めることができるという効果も得られる。しかし、特定領域ＡＲを小さくすると、印刷ずれやラベルの寸法精度などの影響により、特定領域ＡＲが正確に形成されなかったり、特定領域ＡＲの位置を正確に認識できなくなる可能性が高まる。特に、判定装置３が携帯型の場合には、ユーザの操作によって判定装置３の相対位置や撮像の向きが様々に変わりうるため、特定領域ＡＲの位置を正確に認識できなくなる可能性が高くなる。これに対し、本構成のように安定的な位置マークを付して特定領域ＡＲの位置を示すようにすることで、これらの問題を解消しやすくなる。
【００６９】
また、本構成では、印刷媒体１００が基材層１０４を備えており、判定装置３で用いる「特定波長」の照明光が照射された場合の特定領域ＡＲ外の基材層配置領域での光の反射率と位置マークが付された領域での光の反射率との差が所定差以上となるように構成されている。このように、特定波長の照明光が照射されたときの基材層配置領域での反射率と位置マークが付された領域での反射率との差がある程度大きくなるように印刷媒体１００を構成しておけば、基材層配置領域での反射状態と位置マークでの反射状態の差を利用して位置マークが付された領域をより正確に認識しやすくなる。
【００７０】
なお、上述した構成では、検出された「検出値」を予め定められた固定範囲と比較して真贋判定を行っていたが、このような判定方法に限られない。例えば、「検出値」の取得方法までは上述した例と同様とし、「検出値」を用いた判定方法のみを異ならせてもよい。例えば、検出部に相当する制御回路３４により、特定領域ＡＲでの「検出値」だけでなく、特定領域ＡＲ外の基材層配置領域での「比較値」をも検出し、これらの相対関係に基づいて真贋判定を行うようにしてもよい。
この場合、特定領域ＡＲでの検出値として、「特定領域ＡＲからの光の光量」を検出する場合、「比較値」としては、基材層配置領域（基材層１０４が配置され、第１インク層、第２インク層、第３インク層が配置されていない領域）からの光の光量（具体的には、受光センサ１２で生成された印刷媒体１００の撮像画像における基材層配置領域の位置の受光量）を検出すればよい。
また、特定領域ＡＲでの検出値として、「特定領域ＡＲでの反射率」を検出する場合、「比較値」としては、基材層配置領域（基材層１０４が配置され、第１インク層、第２インク層、第３インク層が配置されていない領域）での反射率を、特定領域ＡＲでの反射率と同様に検出すればよい。
そして、いずれの場合でも、特定領域ＡＲで検出された検出値Ｓａと基材層配置領域で検出された比較値Ｓｂとに基づいて印刷媒体１００の種別を判定することができる。例えば、検出値Ｓａと比較値Ｓｂとの比率Ｓａ／Ｓｂが所定比率以上である場合に、印刷媒体１００を「真」（本物）と判定し、検出値Ｓａと比較値Ｓｂとの比率Ｓａ／Ｓｂが所定比率未満である場合に、判定対象を「贋」（偽物）と判定すればよい。或いは、検出値Ｓａと比較値Ｓｂとの差｜Ｓａ−Ｓｂ｜が所定値以上である場合に、印刷媒体１００を「真」（本物）と判定し、検出値Ｓａと比較値Ｓｂとの差｜Ｓａ−Ｓｂ｜が所定値未満である場合に、判定対象を「贋」（偽物）と判定してもよい。
このように、基材層配置領域から得られた比較値と特定領域ＡＲから得られた検出値との相対的な関係に基づいて印刷媒体１００の種別を判定すれば、照明の照度のばらつき或いは検出部のばらつきを抑えた判定が可能となる。
特に、照明光源や受光センサを用いた判定装置では、装置毎に照明の照度やセンサの感度にばらつきが発生する為に「検出値」を予め定められた固定範囲と比較する方法では、正確に判定するためにキャリブレーションが必要になる。また、装置を長時間使用すると照明の照度が低下する為に一定期間ごとにキャリブレーションが必要となり、装置のメンテナンス負担が大きくなる。これに対し本構成では、照明の照度低下やばらつきの影響、センサ感度のばらつきの影響を抑えることができるため、メンテナンス負担を大幅に低減することができる。
【００７１】
[第２実施形態]
次に、第２実施形態について、図５等を参照して説明する。なお、第２実施形態は、識別マークの構成及び特定領域ＡＲの検出方法のみが第１実施形態と異なり、それ以外は第１実施形態と同様である。
【００７２】
本構成で用いられる印刷媒体１００は、第１実施形態と同様の基材層１０４上に識別マークとしての情報コード１２０が印刷された構成となっている。なお、以下の説明では、情報コードの例として、ＱＲコード（登録商標）を挙げるが、情報コードはこれに限られることはなく、例えば、データマトリクス、マキシコード、ＣＰコード、ＰＤＦ４１７やＲＳＳコンポジット等であってもＱＲコードと同様に本発明を適用することができる。
【００７３】
図５に示すように、本構成では、印刷媒体１００に情報コード１２０が形成され、情報コード１２０の少なくとも一部が特定領域ＡＲとして構成されている。この特定領域ＡＲの積層構造は、第１実施形態と同一であり、基材層１０４上に第１インク層１１４（図２）が配され第１インク層１１４上に第２インク層１１６（図２）が配されている。なお、第２インク層１１６が配置された領域のうち、第１インク層１１４が配置されていない領域は、基材層１０４上に第２インク層１１６が配置された構成となっている。また、基材層１０４において第２インク層１１６が配置された領域外は、例えば基材層１０４のみの領域となっている。図５の例では、明色セルＣｗと暗色セルＣｂとがマトリックス状に配置された情報コード１２０が印刷されており、暗色セルＣｂの領域が「特定領域」として構成され、明色セルＣｗの領域及びコード領域の周囲のマージン領域は、基材層１０４上に第２インク層が配置された構成となっている。
【００７４】
このような情報コード１２０に基づいて印刷媒体１００を判定する場合、判定装置１２９では、まず、照明部２０から印刷媒体１００に対して特定波長の照明光を照射した状態で、印刷媒体１００を受光センサ１２によって撮像する。そして、印刷媒体１００の撮像画像から情報コード１２０の画像を抽出し、この情報コード１２０を公知のデコード方法で解読する。なお、本構成では、制御回路３４が解読部の一例に相当する。そして、得られた情報コード１２０の撮像画像から、暗色セルＣｂの領域を特定し、この暗色セルＣｂの領域の「検出値」を第１実施形態と同様の検出方法で検出し、これに基づいて印刷媒体１００の真贋を第１実施形態と同様の判定方法で判定する。
【００７５】
このような構成によれば、情報コードのデータ記録機能を生かしつつ情報コードを形成する層を印刷媒体１００の判定に利用することができる。また、例えば、上層側の第２インク層を、可視光領域で透過率が低く、赤外領域で透過率が高いインクとし、可視光環境下で情報コード１２０が視認できないように構成した場合、可視光環境下で人の目には情報コード１２０を見えなくすることができ、偽造等の不正を効果的に抑制することができる。
【００７６】
[第３実施形態]
次に、第３実施形態について、図６等を参照して説明する。なお、第３実施形態は、識別マークの構成及び特定領域ＡＲの検出方法のみが第１実施形態と異なり、それ以外は第１実施形態と同様である。
【００７７】
図６に示すように、本構成では、印刷媒体１００に情報コード１３０が形成され、情報コード１３０の一部が特定領域ＡＲとして構成されている。この特定領域ＡＲの積層構造は、第１実施形態と同一であり、基材層１０４上に第１インク層１１４（図２）が配され第１インク層１１４上に第２インク層１１６（図２）が配されている。なお、第２インク層１１６が配置された領域のうち、第１インク層１１４が配置されていない領域は、基材層１０４上に第２インク層１１６が配置された構成となっている。また、基材層１０４において第２インク層１１６が配置された領域外は、例えば基材層１０４のみの領域となっている。図６の例では、明色セルＣｗと暗色セルＣｂとがマトリックス状に配置された情報コード１３０が印刷されている。
【００７８】
この情報コード１３０は、予め定められた形状の特定パターンに相当する位置検出パターンＦＰ１，ＦＰ２，ＦＰ３（切り出しシンボル）を備えており、位置検出パターンＦＰ１，ＦＰ２，ＦＰ３の少なくとも一部が特定領域ＡＲとして構成されている。位置検出パターンＦＰ１，ＦＰ２，ＦＰ３（切り出しシンボル）はいずれも中央部に３行３列の暗色セルＣｂからなる矩形領域が配置され、その矩形領域の周囲には明色セルＣｗが環状に配置された環状領域が配置され、その明色セルＣｗの環状領域の周囲には、暗色セルＣｂが環状の配置された環状領域が配置されている。そして、１つの位置検出パターンＦＰ２の中央部に配置される３行３列の暗色セルＣｂからなる矩形領域が、特定領域ＡＲとして構成されている。
【００７９】
このような情報コード１３０に基づいて印刷媒体１００を判定する場合、判定装置１２９では、まず、照明部２０から印刷媒体１００に対して特定波長の照明光を照射した状態で、印刷媒体１００を受光センサ１２によって撮像する。そして、印刷媒体１００の撮像画像から情報コード１３０の画像を抽出する。この際に、ＱＲコード（登録商標）において位置検出パターンを検出する公知の方法で位置検出パターンＦＰ１，ＦＰ２，ＦＰ３を検出することができる。そして、位置検出パターンＦＰ１，ＦＰ２，ＦＰ３が検出されれば、そのうちの１つの位置検出パターンＦＰ２の中央部の矩形領域が特定領域ＡＲであるため、特定領域ＡＲの位置も容易に特定することができる。
【００８０】
なお、本構成では、制御回路３４が「第１位置検出部」の一例に相当し、受光部によって生成された情報コード１３０の撮像画像において位置検出パターンＦＰ１，ＦＰ２，ＦＰ３の位置を検出するように機能する。また、制御回路３４は、「第２位置検出部」の一例に相当し、第１位置検出部によって検出された位置検出パターンＦＰ１，ＦＰ２，ＦＰ３の位置に基づき、撮像画像における位置検出パターンＦＰ１，ＦＰ２，ＦＰ３の領域内での特定領域ＡＲの位置を検出するように機能する。この構成によれば、第１位置検出部によって位置検出パターンＦＰ１，ＦＰ２，ＦＰ３の位置を検出した上で、更に第２位置検出部により位置検出パターンＦＰ１，ＦＰ２，ＦＰ３領域内における特定領域ＡＲの相対位置を検出することができるため、特定領域ＡＲをより一層正確に且つ迅速に特定しやすくなる。特に、ＱＲコードにおいて必須となる位置検出パターンＦＰ１，ＦＰ２，ＦＰ３の検出を利用して、特定領域ＡＲの位置を特定又は絞り込むことができるため、判定に利用する特定領域ＡＲの位置をより効率的に把握しやすくなる。また、専用の位置マークが不要になるため、デザイン面での自由度も高くなる。
【００８１】
位置検出パターンＦＰ１，ＦＰ２，ＦＰ３が検出された後は、この情報コード１２０を公知のデコード方法で解読すればよい。また、印刷媒体１００を判定する場合、得られた情報コード１２０の撮像画像から上述の特定領域ＡＲの情報を抽出し、この特定領域ＡＲの「検出値」を第１実施形態と同様の検出方法で検出し、これに基づいて印刷媒体１００の真贋を第１実施形態と同様の判定方法で判定すればよい。
【００８２】
なお、本構成では、特定領域ＡＲ以外の暗色セルの領域は、第１実施形態と同様の第３インクで構成し、第１実施形態と同様、基材層１０４との反射率の差が大きくなるように構成するとよい。このようにすることで、暗色セルをより正確に認識しやすくなり、読み取りの精度を効果的に高めることができる。また、万が一、機能セル（位置検出パターン）の一部に特定領域ＡＲが構成することで、明暗判別の精度が低下したとしても、データの読み取りには影響を与えない部分であるため、デコードの精度低下を招きにくい。
【００８３】
[第４実施形態]
次に、第４実施形態について、図７等を参照して説明する。なお、第４実施形態は、識別マークの構成及び特定領域ＡＲの検出方法のみが第１実施形態と異なり、それ以外は第１実施形態と同様である。また、第３インク層１１２（図２）による位置マーク１４２が設けられている点が第２実施形態と異なり、それ以外は第２実施形態と同一である。特に、情報コード１４４の部分の構成は、第２実施形態の情報コード１２０の部分の構成と同一である。
【００８４】
この例では、この第３インク層１１２（図２）により、特定領域ＡＲが存在する範囲を示す矩形枠の位置マーク１４２として表示されている。この位置マークは、例えば、情報コード１４４及びその周囲のマージン領域を囲むように切れ目なく連続した環状枠となっている。但し、位置マークの図形はこの例に限られるものではなく、情報コード１４４の範囲を示す図形であればよい。例えば、情報コード１４４の周囲を囲むように断続的に続く環状枠であってもよい。また、形状も、四角枠状に限られず、三角枠状等の多角形枠状であってもよく、環状枠であってもよい。
【００８５】
[第５実施形態]
次に、第５実施形態について、図８等を参照して説明する。なお、第５実施形態は、識別マークの構成及び特定領域ＡＲの検出方法のみが第１実施形態と異なり、それ以外は第１実施形態と同様である。また、位置検出パターンではなく、データ領域の一部のセルが特定領域ＡＲとして構成されている点が第３実施形態と異なり、それ以外は第３実施形態と同一である。特に、図８の特定領域以外の部分は、第３実施形態の特定領域以外の部分と同様の構成である。
【００８６】
本構成で用いられる印刷媒体１００は、第１実施形態と同様の基材層１０４上に識別マークとしての情報コード１５０が印刷された構成となっている。図８に示すように、本構成では、印刷媒体１００に情報コード１５０が形成され、情報コード１５０の一部が特定領域ＡＲとして構成されている。この特定領域ＡＲの積層構造は、第１実施形態と同一であり、基材層１０４上に第１インク層１１４（図２）が配され第１インク層１１４上に第２インク層１１６（図２）が配されている。なお、第２インク層１１６が配置された領域のうち、第１インク層１１４が配置されていない領域は、基材層１０４上に第２インク層１１６が配置された構成となっている。また、基材層１０４において第２インク層１１６が配置された領域外は、例えば基材層１０４のみの領域となっている。
【００８７】
図８の例では、二種類のセル（明色セルＣｗ及び暗色セルＣｂ）がマトリックス状に配置されて情報コード１５０が構成されており、いずれかの種類のセル（図８の例では暗色セルＣｂ）の少なくとも一部が特定領域ＡＲとして構成されている。この構成では、いずれかの種類のセルを、データ記録以外の用途で利用することができる。また、情報コード解読時に行われるセル位置の検出処理の少なくとも一部処理を、特定領域ＡＲの検出に利用することができるため、処理効率を高めやすく、処理の遅延を抑制しやすくなる。
【００８８】
このような情報コード１５０に基づいて印刷媒体１００を判定する場合、判定装置１２９では、まず、照明部２０から印刷媒体１００に対して特定波長の照明光を照射した状態で、印刷媒体１００を受光センサ１２によって撮像する。そして、印刷媒体１００の撮像画像から情報コード１５０の画像を抽出し、この情報コード１５０を公知のデコード方法で解読する。本構成では、例えば情報コード１５０の内部に特定領域ＡＲのセル位置を特定する情報が記録されており、制御回路３４は、このような情報コード１５０の解読により特定領域ＡＲのセル位置を特定する。そして、その特定領域ＡＲの「検出値」を第１実施形態と同様の検出方法で検出し、これに基づいて印刷媒体１００の真贋を第１実施形態と同様の判定方法で判定する。
【００８９】
なお、情報コード１５０を、後述する第６実施形態のような秘匿性の高い情報コードとして構成し、特定領域ＡＲの位置を示す情報を暗号化した上で秘匿データコードとして記録しておいてもよい。この場合、判定装置３を第６実施形態と同様の構成とし、秘匿データコードを解読して得られた情報に基づき、受光センサ１２で生成された情報コード１５０の撮像画像内での特定領域ＡＲの位置を検出すればよい。この構成では、情報コード１５０で定められた特定領域ＡＲの位置を判定装置３が予め把握していなくても、情報コード１５０の読み取りによって特定領域ＡＲの位置をより正確に特定することができる。また、一部のセルを特殊インクで印刷し、特殊インクで印刷したセル位置を秘匿データ領域に格納することで自由に特殊インク位置を変えることができる。従って、より偽造されにくい印刷媒体を構成することでき、セキュリティ面で一層有利になる。
【００９０】
[第６実施形態]
次に、第６実施形態について、図９〜図１４等を参照して説明する。
なお、本実施形態では、例えば第３実施形態と同様の印刷媒体１００が用いられる。この印刷媒体１００は、図６のように情報コード１３０が形成され、情報コード１３０の一部（位置検出パターンの一部）が特定領域ＡＲとして構成されている。この特定領域ＡＲの積層構造は、第１実施形態と同一であり、基材層１０４上に第１インク層１１４（図２）が配され第１インク層１１４上に第２インク層１１６（図２）が配されている。なお、第２インク層１１６が配置された領域のうち、第１インク層１１４が配置されていない領域は、基材層１０４上に第２インク層１１６が配置された構成となっている。また、基材層１０４において第２インク層１１６が配置された領域外は、例えば基材層１０４のみの領域となっている。図６の例では、明色セルＣｗと暗色セルＣｂとがマトリックス状に配置された情報コード１３０が印刷されている。
【００９１】
また、本構成では、例えば特開２００９−９５４７号公報で開示される技術を用いた秘匿性の高い情報コード（以下、ＳＱＲＣとも略称する）が用いられる。以下では、この情報コードを本構成に適用した場合のコード構成を概説する。
【００９２】
本構成で用いられる情報コードでは、開示データや秘匿データ等の各データがＪＩＳの基本仕様（JIS X 0510:2004）に従って符号化されており、図９（Ａ)のように、開示するデータを表すコード語としてコード化された開示データコードと、秘匿するデータを表すコード語としてコード化された秘匿データコードとが記録されている。そして、開示データコードの後に終端識別コードが付加されている。この終端識別コードは、例えば、４ビットパターンで「００００」であり、図９(Ａ) に示すように、開示データコードの直後に位置する。なお、図９(Ａ) では、便宜上、開示データコードを「開示コード」、終端識別コードを「終端子」、とそれぞれ表現している。
【００９３】
更に、秘匿識別コード（秘匿識別子）が終端識別コード（終端子）の直後に配置されている。これにより、この終端識別コードの後に配置されているデータコードが「秘匿するデータを表すコード語としてコード化されたものであること」を明示的に表している。これにより、この情報コードを、判定装置３がデコードする際に、当該情報コードに秘匿データコード（終端識別コードの後に配置されるデータコード）が含まれていることを認識可能にする。また、秘匿データコードのデータ長が計算して求められた上で、このデータ長をコード化したものが秘匿識別コードの直後に付加されている。これにより、秘匿データコードが配置される領域や範囲を特定できるようになっている。なお、図９(Ａ) では、便宜上、秘匿データコードを「秘匿コード」、秘匿識別コードを「秘匿識別子」、とそれぞれ表現している。また、秘匿データコードは、例えば、所定の暗号キー（暗号化キー）を用い、公知の視覚復号型暗号技術（視覚復号型秘密分散法）などを用いて暗号化された上で記録されている。また、図９（Ｂ)の例では、秘匿データコードを構成する「暗号化データ」の部分が暗号化され、「開始桁」、「文字数」および「復号キー検査データ」も併せて生成された上で付されている。最初に位置する「開始桁」は、当該暗号化された秘匿データの位置情報として、印刷データの先頭をゼロ番地とした場合に表現可能なアドレス値がこれに相当する。また次の「文字数」は、暗号化されている秘匿データの文字数である。最後に付加されている「復号キー検査データ」は、当該暗号を解読するのに用いる復号キーを特定可能な鍵特定情報で、暗号方式が暗号キーと復号キーとが同じ共通鍵暗号方式（「秘密鍵暗号方式」ともいう）の場合には、当該復号キー検査データは暗号キーも特定できる。
【００９４】
なお、本構成では、例えばＪＩＳの基本仕様（JIS X 0510:2004）に記載されている処理アルゴリズムに準拠して、秘匿データコードの後に埋め草コード（パッドデータ）が付加されている。また、解読対象となるデータ（開示データコードや秘匿データコードなど）により、公知の方法（例えばＪＩＳの基本仕様（JIS X 0510:2004）に記載されている誤り訂正コードの生成アルゴリズム）を用いて誤り訂正符号を生成しそれをコード化してなる誤り訂正コードも付加されている。このような各データコード（コードワード）は、例えば図１０のように予め定められた各領域に順番に配置されている。
【００９５】
このように構成される情報コード１３０（図６も参照）には、検出値の基準となる基準値又は基準範囲を特定する「基準情報」と、「特定波長を特定する情報」とが暗号化された上で秘匿データコードとして記録されている。そして、後述の判定処理で用いられるようになっている。
【００９６】
次に、判定装置３で行われる判定処理について説明する。なお、判定装置３のハードウェア構成は第１実施形態と同一である。また、本実施形態で用いられる特定領域の積層構造は第１実施形態と同様であり、基材層１０４上に第１層１０１と第２層１０２とが積層された構成であるが、特定領域ＡＲでの特性が図１１のようになっている。
【００９７】
図１２に示す判定処理は、例えば電源投入などの開始条件の成立により制御回路３４によって実行される。この判定処理では、まず、初期設定（Ｓ１）とタイマークリア（Ｓ２）を実施する。そして、秘匿データの暗号を解読する暗号キーの受信待ちとなる（Ｓ３）。Ｓ３の処理では、Ｓ２でタイマーがクリアされてから所定時間が経過したか否かを判断し、経過した場合には、Ｓ３にてＹｅｓに進み、経過していない場合にはＳ３にてＮｏに進む。そして、Ｓ４では、外部から暗号キーを受信したか否かを判断する。そして、暗号キーを受信していなければＳ４にてＹｅｓに進み、受信していればＳ４にてＮｏに進む。つまり、Ｓ２にてタイマーがクリアされてから所定時間内に暗号キーを受信した場合にはＳ４にてＹｅｓに進み、この場合には、「Key」＝１とする。また、Ｓ２にてタイマーがクリアされてから所定時間内に暗号キーを受信できなければＳ３にてＹｅｓに進み、この場合には、この場合には、「Key」＝０とする。
【００９８】
そして、Ｓ５又はＳ６の後には、画像取込み回数Ｎを「０」にクリアする（Ｓ７）。そして、複数用意された光源の中から情報コードの読み取りが可能となる光源を点灯する（Ｓ８）その点灯による照明光の照射時に受光センサ１２で撮像された撮像画像を取得する（Ｓ９）。例えば、図３に示す第１インク層（Ｘ１）及び第２インク層（Ｘ２)の例では、赤外光の照明なら読取りが可能であり、８００ｎｍ付近の照明がもっとも読み取りが行いやすいため、Ｓ８では、このような波長の照明光を照射すればよい。
【００９９】
そして、Ｓ９での画像取得が完了したら画像取込み回数Ｎをカウントアップし（Ｓ１０）、情報コードの読み取りを実施する（Ｓ１１）。Ｓ１１の読み取り処理は、例えば図１３のような流れで行われる。上述したように、本構成で用いられる情報コードは、図６のような情報コード１３０であり、データフォーマットが図９のようになっている。図１３の処理では、ＱＲコード（登録商標）の読み取りで用いられる公知の方法で位置検出パターンＦＰ１，ＦＰ２，ＦＰ３を検出し（Ｓ３１）、情報コード１３０（図６）のコード外形を検出する（Ｓ３２）。そして、公知の方法で、情報コード１３０を構成する各セルの中心座標を検出する（Ｓ３３）。更に、各セルの明暗（白黒）を判別する（Ｓ３４）。そして、誤り訂正コードに基づいて誤り訂正が可能か否かを判断し（Ｓ３５）、誤り訂正が可能であればＳ３５にてＹｅｓに進み、公開データ部（開示データコード）の復号を行う（Ｓ３６）。一方、誤り訂正ができずに読み取りができない場合には、Ｓ３５にてＮｏに進み、変数ReadFlagに０をセットし（Ｓ４５）、WaveReｆDataに０をセットする（Ｓ４６）。そして、図１３の処理を終了する。
【０１００】
Ｓ３５にてＹｅｓに進み、Ｓ３６で公開データ部（開示データコード）の復号を行う場合には、変数ReadFlagに１をセットする（Ｓ３７）。そして、「Key」＝１であるか否か、即ち、暗号キーを取得済みであるか否かを判断する（Ｓ３８）。「Key」＝０であり、暗号キーを取得していない場合には、Ｓ３８にてＮｏに進み、WaveReｆDataに０をセットする（Ｓ４６）。そして、図１３の処理を終了する。「Key」＝１であり、暗号キーが取得済みである場合には、Ｓ３８にてＹｅｓに進み、秘匿データがあるか否か、即ち、秘匿データコードが存在するか否かを判断する（Ｓ３９）。秘匿データコードが存在しない場合には、Ｓ３９にてＮｏに進み、WaveReｆDataに０をセットする（Ｓ４６）。そして、図１３の処理を終了する。秘匿データコードが存在する場合には、Ｓ３９にてＹｅｓに進み、秘匿データコードとしてコード化された秘匿データを、既に受信している暗号キー（復号キー）を用いて解読する（Ｓ４０）。
【０１０１】
Ｓ４０で秘匿データを解読した後には、その秘匿データに「波長を特定するデータ」及び「基準情報」が含まれているか否かを判断する（Ｓ４１）。そして、Ｓ４０で解読したデータに「波長を特定するデータ」及び「基準情報」が含まれている場合にはＳ４１にてＹｅｓに進み、「波長を特定するデータ」又は「基準情報」が含まれていない場合にはＳ４１にてＮｏに進む。Ｓ４１にてＮｏに進む場合には、WaveReｆDataに０をセットする（Ｓ４６）。そして、図１３の処理を終了する。
【０１０２】
ここで、「波長を特定するデータ」及び「基準情報」について説明する。判定対象の印刷媒体１００に形成された情報コード１３０（図６）は、特定領域ＡＲの反射率の特性が図１１のようになっている。この特定領域ＡＲの反射率特性曲線では、波長ｒａ（９００ｎｍ）、ｒｂ（９５０ｎｍ）、ｒｃ（１１００ｎｍ）、ｒｄ（１２００ｎｍ）が変曲点となっている。例えば、波長９００ｎｍでは、反射率が６３％程度であり、波長９５０ｎｍでは、反射率が４８％程度であり、波長１１００ｎｍでは、反射率が８０％程度であり、波長１２００ｎｍでは、反射率が７４％程度である。そこで、本構成では、「波長を特定するデータ」として、これら波長ｒａ（９００ｎｍ）、ｒｂ（９５０ｎｍ）、ｒｃ（１１００ｎｍ）、ｒｄ（１２００ｎｍ）のデータを用い、このデータを情報コード１３０の秘匿データとして記録している。また、各波長のときに想定される各反射率に基づき、波長ごとに想定される反射率を含む基準範囲を設定している。例えば、第１の波長ｒａ（９００ｎｍ）の波長と対応付けて６０％〜６５％という第１基準範囲を定めている。第２の波長ｒｂ（９５０ｎｍ）の波長と対応付けて４５％〜５１％という第２基準範囲を定めている。また、第３の波長ｒｃ（１１００ｎｍ）の波長と対応付けて７５％〜８５％という第３基準範囲を定めている。更に、第４の波長ｒｄ（９５０ｎｍ）の波長と対応付けて７０％〜７８％という第４基準範囲を定めている。このように波長に対応付けられた第１〜第４基準範囲のデータは、「基準情報」として情報コード１３０の秘匿データとして記録されている。
【０１０３】
このように、「波長を特定するデータ」と「基準情報」とが秘匿データコードとして記録されているため、Ｓ４０でこのような秘匿データコードが解読された場合、Ｓ４１にてＹｅｓに進み、これら「波長を特定するデータ」及び「基準情報」をメモリ３３に格納することになる（Ｓ４２）。そして、「波長を特定するデータ」及び「基準情報」が解読されたことを示す変数WaveReｆDataに１をセットする（Ｓ４３）。Ｓ４３の後には、特定領域ＡＲとして構成される位置検出パターンＦＰ２（切出しシンボル）の中心の正方形の位置情報をメモリ３３に格納する。
【０１０４】
以上のようにＳ１１（図１２）の読み取り処理を図１３のように行った後には、変数ReadFlagが１であるか否かを判断する（Ｓ１２）。Ｓ１２において、変数ReadFlagが０と判断される場合、Ｓ１２にてＮｏに進み、Ｎが３に達したか否かを判断する。Ｎが３未満であればＳ１８にてＮｏに進み、Ｓ８に戻ってＳ８以降の処理を繰り返す。一方、Ｓ１２にてＮｏに進んだ場合にＳ１８にてＮが３に達したと判断された場合には、Ｓ１８にてＹｅｓに進む。つまり、予め決められた回数（本例では３回）読取りができなければ情報コードが無いものとして、真贋判定もＮＧと判断する。即ち、Ｓ１９では、判定対象の印刷媒体が「贋」と判断される。Ｓ１９では、例えば表示部４０などに、真贋判定がＮＧである旨の表示を行う。
【０１０５】
一方、Ｓ１２において、変数ReadFlagが１と判断される場合、Ｓ１２にてＹｅｓに進み、変数WaveReｆDataが１であるか否かを判断する（Ｓ１３）。変数WaveReｆDataが０の場合には、Ｓ１３にてＮｏに進み、不正情報コード（暗号化方式は適正であるがデータ内容が不正な情報コード）と判断し、真贋判定もＮＧと判断する（Ｓ２０）。Ｓ２０では、例えば表示部４０などに、真贋判定がＮＧである旨の表示も行う。また、この場合、真贋判定がＮＧである旨の情報と、開示データコードを解読して得られたデータを図示しないホスト装置などに送信する（Ｓ２１）。
【０１０６】
また、Ｓ１２において、変数ReadFlagが１と判断され、Ｓ１３において変数WaveReｆDataが１であると判断された場合、Ｓ１４の真贋判定処理を行う。Ｓ１４の真贋判定処理は、例えば図１４のような流れで行われる。この処理では、まず初期設定として、情報コード１３０の秘匿データコードとして格納されていた波長の数を変数ｍに設定する（Ｓ５１）。例えば、図１１を参照して上述した例では４つの波長及びこれに対応する４つの基準情報が秘匿データコードとして記録されるため、ｍ＝４と設定する。そして、反射率検出回数を示す変数ｎに０をセットする。
【０１０７】
Ｓ５１の後には、上述の処理でメモリ３３に格納された「波長を特定するデータ」及び「基準情報」の中から、ｎ番目の「波長を特定するデータ」およびこの波長に対応する「基準情報」を読み出す（Ｓ５２）。そして、Ｓ５２で読み出した波長の照明が搭載されているか（即ち、当該判定装置３がＳ５２で読み出した波長の照明光を照射可能であるか否か）を判断する（Ｓ５３）。なお、Ｓ５２で読み出した波長の照明光が照射可能でなければ、Ｓ５３にてＮｏに進み、変数AuthFlagに０をセットする（Ｓ６２）。そして、図１４の処理を終了する。
【０１０８】
Ｓ５２で読み出した波長の照明光を照射可能であれば、Ｓ５３にてＹｅｓに進み、Ｓ５２で読み出した波長の照明を点灯する（Ｓ５４）。そして、Ｓ５４で点灯された照明光が照射された印刷媒体１００の画像を取得する（Ｓ５５）。例えば、Ｓ５２で読み出す波長が１番目の波長であり、図１１を参照して上述した例のように４つの波長及びこれに対応する４つの基準情報が記録されている場合、Ｓ５４では、１番目の波長である９００ｎｍの波長の照明光を照射する。そして、Ｓ５５では、９００ｎｍの波長の照明光を照射した状態での印刷媒体１００の画像を取得する。
【０１０９】
Ｓ５５の後には、Ｓ５５で取得した撮像画像から、Ｓ４４で格納された情報で示される位置（位置検出パターンＦＰ２の中心部の四角形領域の位置）の階調値を取得する（Ｓ５６）。そして、Ｓ５６で取得した階調値に基づいて反射率を算出する。反射率の算出は公知の様々な方法を用いることができる。例えば、Ｓ５４で照射された照明光の光量（既知の値）と、その照明光のときにＳ５６で得られた特定領域ＡＲ（位置検出パターンＦＰ２の中心部の四角形領域の位置）の階調値で特定される受光量との比率を「反射率」として算出すればよい。なお、それ以外の公知の方法で「反射率」を算出してもよい。
【０１１０】
そして、Ｓ５７で求めた反射率が、Ｓ５２で読み出した波長に対応して定められた反射率範囲内か否かを判断する。例えば、図１１を参照して上述した例のように４つの波長及びこれに対応する４つの基準情報が記録されている場合、Ｓ５２で読み出す波長が１番目の波長のときには、Ｓ５７では、この１番目の波長を照射したときの特定領域ＡＲでの反射率を算出する。この場合、その算出された反射率が、その１番目の波長に対応付けられた第１基準範囲（６０％〜６５％）の範囲内であるかを判断する。そして、範囲外であれば、Ｓ５８にてＮｏに進み、変数AuthFlagに０をセットする（Ｓ６２）。そして、図１４の処理を終了する。逆に、その算出された反射率が、その１番目の波長に対応付けられた第１基準範囲（６０％〜６５％）の範囲内である場合には、Ｓ５８にてＹｅｓに進む。
【０１１１】
Ｓ５８でＹｅｓに進む場合には、ｎをカウントアップする（Ｓ５９）。そして、Ｓ５６でカウントアップされたｎがｍに達したか否かを判断する（Ｓ６０）。Ｓ６０において、ｎがｍに達していないと判断される場合には、Ｓ６０にてＮｏに進み、新たなｎに基づいてＳ５２以降の処理を行う。Ｓ６０において、ｎがｍに達したと判断される場合には、Ｓ６０にてＹｅｓに進み、変数AuthFlagに１をセットする（Ｓ６１）。そして、図１４の処理を終了する。このように、情報コード１３０に格納された全ての波長で照明光の照射を行い、全ての波長において、各波長のときの反射率が、各波長に対応付けられた反射率範囲内である場合には、Ｓ６０にてＹｅｓに進み、変数AuthFlagに１をセットすることになる（Ｓ６１）。
【０１１２】
なお、本構成では、受光センサ１２が受光部の一例に相当し、照明部２０から印刷媒体１００に対して各波長の照明光がそれぞれ照射された場合に、各波長のときの情報コードからの反射光を受光して、各波長のときの情報コードの撮像画像をそれぞれ生成するように機能する。そして、Ｓ１１の処理（即ち、図１３の処理）を実行し得る制御回路３４が解読部の一例に相当し、受光センサ１２での反射光の受光結果に基づいて情報コードを解読するように機能する。また、図１４の処理を実行し得る制御回路３４が検出部の一例に相当し、各波長のときの照明光が印刷媒体１００に照射されて生じる各反射光を受光センサ１２が受光したそれぞれの受光結果に基づき、各波長のときの特定領域ＡＲでの検出値（特定領域ＡＲでの反射率又は特定領域ＡＲからの光の光量）をそれぞれ検出するように機能する。また、図１４等の処理を行い得る制御回路３４が判定部の一例に相当し、検出部によって検出された各波長のときの検出値に基づいて印刷媒体１００の種別を判定するように機能する。
【０１１３】
本構成では、複数波長の光による複数の結果によって特定領域ＡＲを評価することができるため、より正確性の高い判定が可能となる。また、このような判定に適応し得る媒体を第三者が偽造することは非常に困難になる。
【０１１４】
また、本構成では、印刷媒体１００の種別の判定に用いる基準情報が前もって情報コードに記録されるため、このような基準情報が予め用意されていない判定装置３でも基準情報に基づく判定が可能となる。なお、基準情報として、各波長に対応する基準範囲（各波長のときの反射率が満たすべき範囲）が記録されているが、基準情報として基準値が記録されていてもよい。例えば、各波長のときに得られるべき反射率を基準値としてそれぞれ定めておき、いずれかの波長を照射したときの特定領域ＡＲでの反射率と、その波長に対応付けられた基準値との差が一定値以上の場合にＳ５８にてＮｏに進むようにしてもよい。この場合、照射される全ての波長の照明光において、照明光を照射したときの特定領域ＡＲでの反射率と、その照明光の波長と対応付けられた基準値との差が一定値未満である場合に、Ｓ５８でＹｅｓに進むようにすればよい。
【０１１５】
また、情報コード１３０には、判定装置３で利用可能な情報として、「特定波長を特定する情報」が記録されており、照明部２０は、解読部によって解読された情報に基づいて「特定波長」を選択し、当該特定波長の照明光を照射するようになっている。この構成では、判定に際して必要となる「特定波長」を判定装置３が予め把握していなくても、情報コード１３０の解読によって把握することが可能となる。
【０１１６】
また、特定領域ＡＲのインク等を変更したい場合、情報コード１３０内に記録された「特定波長を特定する情報」と「基準情報」を変更するように情報コード１３０を生成し直すことで容易に対応することができ、例えば定期的にインク内容を変更するといった対応が非常に行いやすくなる。
【０１１７】
また、情報コード１３０には、判定装置３で利用可能な情報（「特定波長を特定する情報」や「基準情報」）が暗号化されて暗号データとして記録されている。そして、図１２の処理を実行する制御回路３４は、暗号解読部に相当し、情報コード１３０に記録された暗号データの暗号を解読する機能を有する。この構成では、印刷媒体１００の判定に利用する重要な情報を秘匿化して格納しておくことができるため、判定に用いる重要な情報を扱う上で、セキュリティ面が強化される。
【０１１８】
また、情報コード１３０は、判定装置３で利用可能な情報が所定の暗号化キーに基づいて暗号化された暗号データが記録される非開示データ領域と、暗号化キーによる暗号化がなされていない所定情報が記録された開示データ領域とを有している。このようにすることで、判定に用いる重要な情報のセキュリティ性を高めると共に、相対的にセキュリティ性が低い情報をも使い分けることができ、データを利用する上での自由度が一層高まる。なお、開示データ領域に記録する開示データとしては、例えば、印刷媒体１００の有効期間を特定する情報や、印刷媒体１００を用いたサービスに関する内容などが挙げられる。
【０１１９】
[第７実施形態]
次に、第７実施形態について、図１５、図１６等を参照して説明する。第７実施形態は、「検出値」の取得方法のみが第３実施形態と異なり、それ以外は第３実施形態と同一である。
【０１２０】
本構成では、第３実施形態と同一の印刷媒体１００が用いられる。この印刷媒体１００は、図６のように情報コード１３０が形成され、情報コード１３０の一部（予め定められた形状の特定パターンに相当する位置検出パターンＦＰ１，ＦＰ２，ＦＰ３の一部）が特定領域ＡＲとして構成されている。この特定領域ＡＲの積層構造は、第１実施形態と同一であり、基材層１０４上に第１インク層１１４（図２）が配され第１インク層１１４上に第２インク層１１６（図２）が配されている。
【０１２１】
第３実施形態では、特定波長を印刷媒体１００に照射した場合の特定領域ＡＲのいずれかの位置での反射率又はいずれかの位置からの光量を求めていたが、第７実施形態では、特定波長を印刷媒体１００に照射した場合の特定領域ＡＲの複数位置での反射率又は複数位置からの光量を検出している。そして、それら複数位置での反射率又は光量のメディアン値を、当該特定波長のときの「検出値」としている。
【０１２２】
本構成の判定装置３では、例えば、予め決められた特定波長を印刷媒体１００に照射した場合の特定領域ＡＲの複数位置（例えば１０点）での反射率をそれぞれ検出する。そして、それら複数位置での反射率のメディアン値を求め、当該特定波長のときの「検出値」としている。このように得られたメディアン値を「検出値」として扱い、この「検出値」に基づいて印刷媒体１００の真贋を第１実施形態と同様の判定方法で判定すればよい。
【０１２３】
このように複数位置から得られた反射率又は光量のメディアン値を判定に用いることで、汚れの影響を抑えた判定が可能となる。例えば、特定領域ＡＲの複数位置の反射率から検出値を決定する場合、図１５のように特に汚れが無い場合には、平均値を用いる場合でも、メディアン値を用いる場合でも、特定領域ＡＲの実際の反射率を反映した精度の高い値が得られやすい。しかしながら、図１６のように、特定領域ＡＲが汚れている場合、平均値による方法では汚れの影響を受けやすく、正確な反射率を求めにくいという問題がある。特に、反射率を大きく低下させる汚れが存在する場合にはこの問題が顕著になる。これに対し、メディアン値による方法では、この問題を抑え、実際の反射率を反映した精度の高い値が得られやすくなる。
【０１２４】
ここでは、第３実施形態の印刷媒体１００を判定対象とする場合を例示したが、上記又は下記のいずれの実施形態の例でも、特定波長を照射したときの特定領域の複数位置での反射率を検出し、そのメディアン値を当該特定波長での「検出値」とすることができる。或いは、特定波長を照射したときの特定領域の複数位置からの光量を検出し、そのメディアン値を「検出値」としてもよい。
【０１２５】
[第８実施形態]
次に、第８実施形態について、図１７、図１８等を参照して説明する。第８実施形態は、「検出値」の取得方法のみが第３実施形態と異なり、それ以外は第３実施形態と同一である。また、本構成でも、第３実施形態と同一の印刷媒体１００が用いられる。この印刷媒体１００は、図６のように情報コード１３０が形成され、情報コード１３０の一部（位置検出パターンの一部）が特定領域ＡＲとして構成されている。この特定領域ＡＲの積層構造は、第１実施形態と同一であり、基材層１０４上に第１インク層１１４（図２）が配され第１インク層１１４上に第２インク層１１６（図２）が配されている。
【０１２６】
第３実施形態では、１つの特定波長を印刷媒体１００に照射した場合の特定領域ＡＲでの反射率又は特定領域ＡＲからの光量を検出していたが、第８実施形態では、複数の波長の照明光を照射し、各波長のときの特定領域ＡＲでの反射率又は特定領域ＡＲからの光量を検出している。具体的には、第６実施形態と同様、照明部２０は、照明光として複数波長の光をそれぞれ照射可能とされており、受光センサ１２は、照明部２０から印刷媒体１００に対して複数波長の照明光がそれぞれ照射された場合に、それら各波長の照明光が印刷媒体１００に照射されて生じる光をそれぞれ受光するように構成されている。そして、検出部に相当する制御回路３４は、各波長の照明光が印刷媒体１００に照射されたときの特定領域ＡＲでの検出値（反射率又は光量）をそれぞれ検出している。そして、判定部に相当する制御回路３４は各波長の照明光が印刷媒体１００に照射されたときに検出部でそれぞれ得られる検出値に基づいて印刷媒体１００の種別を判定するようになっている。
【０１２７】
より具体的には、照明部２０は、照明光として、所定の第１波長λ０の光、第１波長λ０よりも小さい複数の第２波長λ１，λ３の光、第１波長λ０よりも大きい複数の第３波長λ２，λ４の光をそれぞれ照射可能とされている。そして、印刷媒体１００は、第１波長λ０の光、第２波長λ１，λ３の光、第３波長λ２，λ４の光がそれぞれ照射された場合の特定領域ＡＲでの各反射率のうち、例えば図１７のように第１波長λ０の光が照射されたときの反射率が最も小さくなるように構成されている。
【０１２８】
このような印刷媒体１００を判定対象とし、判定装置３において、検出部に相当する制御回路３４は、印刷媒体１００に対し、第１波長λ０の光、複数の第２波長λ１，λ３の光、複数の第３波長λ２，λ４の光がそれぞれ照射された場合に、それぞれの光での検出値（それぞれの光のときの特定領域ＡＲでの反射率又は特定領域ＡＲからの光量）を検出する。そして、判定部に相当する制御回路３４は、それら検出される複数の検出値において、第１波長λ０の光での検出値が最小値である場合に印刷媒体１００を「真」と判定し、第１波長λ０の光での検出値が最小値でない場合に印刷媒体１００を「贋」と判定する。
【０１２９】
この構成では、複数波長の光による複数の結果によって特定領域ＡＲを評価することができるため、より正確性の高い判定が可能となる。また、このような判定に適応し得る媒体を第三者が偽造することは非常に困難になる。
【０１３０】
また、ある特定領域ＡＲを作製したときの当該特定領域ＡＲでの反射率と波長との関係を示す反射率特性曲線が、例えば図１７のような場合、特定領域ＡＲの層の厚さが変わると、図１８のように反射率特性曲線が全体的に低い反射率或いは高い反射率にシフトする懸念がある。図１８の例では、図１７の反射率特性曲線が符号Ａ１に示すものであり、この場合よりも特定領域ＡＲの層が薄くなったときにＡ２のようにシフトし、特定領域ＡＲの層が厚くなったときにＡ３のようにシフトした例である。例えば、特定領域ＡＲを印刷する際の印刷工程で厚さがばらつくと、このように反射率特性曲線がシフトしてばらついてしまう懸念がある。
【０１３１】
本構成はこの問題を解消するべく、印刷媒体１００に対し第１波長の光、第２波長の光、第３波長の光がそれぞれ照射された場合に、それぞれの光での検出値を検出し、それら検出される複数の検出値において、第１波長の光での検出値が最小値であるか否かに基づいて印刷媒体１００の種別を判定している。図１７のように、印刷媒体１００の特定領域ＡＲは、第１波長λ０の光が照射されたときの反射率が最も小さくなるように構成されているため、仮に印刷工程で特定領域ＡＲの層の厚さがばらついても、第１波長λ０の光が照射されたときの反射率が最も小さくなるという関係は維持されやすい。従って、第１波長λ０の光での検出値が最小値であるか否かに基づいて印刷媒体１００の種別を判定すれば、厚さがばらついた場合でも特定領域ＡＲに正規の層が配置されているかをより正確に判定しやすく、一層正確な媒体判定が可能となる。
【０１３２】
なお、この例では、第１波長λ０の光が照射されたときの反射率が最も小さくなるように構成されていたが、第１波長λ０の光、第２波長λ１，λ３の光、第３波長λ２，λ４の光がそれぞれ照射された場合の特定領域ＡＲでの各反射率のうち、第１波長λ０の光が照射されたときの反射率が最も大きくなるように印刷媒体１００が構成されていてもよい。この場合、印刷媒体１００に対し第１波長の光、複数の第２波長の光、複数の第３波長の光がそれぞれ照射された場合に、それぞれの光での検出値（それぞれの光のときの特定領域ＡＲでの反射率又は特定領域ＡＲからの光量）を検出し、それら検出される複数の検出値において、第１波長の光での検出値が最大値である場合に印刷媒体１００を「真」と判定し、第１波長の光での検出値が最大値でない場合に印刷媒体１００を「贋」と判定すればよい。
【０１３３】
また、第１波長λ０よりも小さい第２波長の光として２つの波長の光を用いたが、第１波長λ０よりも小さい３以上の波長の光であってもよく、第１波長λ０よりも小さい１つの波長の光であってもよい。また、第１波長λ０よりも大きい第３波長の光として２つの波長の光を用いたが、第１波長λ０よりも大きい３以上の波長の光であってもよく、第１波長λ０よりも大きい１つの波長の光であってもよい。
【０１３４】
［他の実施形態]
本発明は上記記述及び図面によって説明した実施形態に限定されるものではなく、例えば次のような実施形態も本発明の技術的範囲に含まれる。
【０１３５】
上記実施形態では、判定装置３によって印刷媒体１００の真贋判定を行う例を示したが、印刷媒体１００の種別の判定はこの例に限られない。即ち、「真」と「贋」の判定ではなく、第１種別の印刷媒体１００に、上記実施形態のような特定領域ＡＲを構成し、第２種別の印刷媒体に上記実施形態のような特定領域ＡＲを構成しないようにすれば、上述の判定装置３によって第１種別と第２種別の判定が可能となる。
【０１３６】
いずれの実施形態においても、第１インク層１１４からなる第１層１０１を所定形状で構成し、これを覆う第２インク層１１６からなる第２層１０２を、第１層１０１に少なくとも部分的に重なるように配置すればよい。例えば、第１層１０１の全体を覆うように第１層１０１よりも大きいサイズで第２層１０２を覆うように構成できる。この場合、可視光環境下（通常環境下）では、第２インク層１１６が光を透過しない又は光透過性が低い状態となって第１インク層１１４を隠すことで第２インク層１１６を介しての第１インク層１１４の視認が不能又は視認困難となる。このようにすることで、通常環境下での第１インク層１１４の肉眼での認識を困難にすることができ、セキュリティ性を一層高めることができる。
【０１３７】
上記実施形態では、「照射される波長により透過率が変化するインク層、又は照射される波長により発光状態が変化するインク層、若しくは化学反応によって発色状態が変化する材料層、が少なくとも二層以上重ねられた構成」として、基材層１０４上に二種類のインクが積層された構成を例示したが、この例に限られない。いずれの実施形態の例でも、第１インク層１１４に代えて、照射される波長により発光状態が変化するインク層、又は化学反応によって発色状態が変化する材料層を設けてもよい。或いは、第２インク層１１６に代えて、照射される波長により発光状態が変化するインク層（公知の赤外線発光インクや紫外線発光インクによる層など）、又は化学反応によって発色状態が変化する材料層（熱により化学反応を起こして変色する物質（色素前駆体であるロイコ色素と、それと反応する顕色剤）からなる材料層など）を設けてもよい。照射される波長により発光状態が変化するインク層を設ける場合、このインク層が発光する波長を「特定波長」とするとよい。なお、基材上に「照射される波長により透過率が変化するインク層」「照射される波長により発光状態が変化するインク層」「熱により化学反応を起こして変色する物質の層」の少なくともいずれかを形成する工程であれば、本発明でいう「印刷」の概念に全て含まれる。そして、これらのいずれかの層が少なくとも形成されば、「印刷媒体」の概念に含まれる。
【０１３８】
上記実施形態では、特定領域ＡＲでの反射率又は特定領域ＡＲからの光量を検出値として検出し、この検出値に基づいて印刷媒体１００の真贋を判定する例を示したが、真贋判定は他の要素を考慮して行ってもよい。例えば、図２のように、印刷媒体１００において特定領域ＡＲが所定形状（例えば円形）で構成されている場合、判定装置３は、上記実施形態で行ったような判定（「検出値」が条件を満たすか否かの判定）に加え、特定領域ＡＲの形状が予め定められた形状に合致するか否かの判定を加えてもよい。この場合、制御回路３４を形状認識部とし、受光センサ１２で生成された撮像画像の中から特定領域ＡＲの領域を抽出し、特定領域ＡＲの形状を認識するように機能させればよい。そして判定部に相当する制御回路３４は、形状認識部によって認識された形状と、検出部によって検出された検出値とに基づいて印刷媒体１００の真贋を判定すればよい。
このように、特定領域ＡＲでの反射率又は特定領域ＡＲからの光の光量だけでなく、特定領域ＡＲの形状をも加味して判定を行えば、より多くの要素を考慮したより正確性の高い判定が可能となる。
また、いずれの実施形態の例でも、特定領域ＡＲの形状は上述した例以外の形状であってもよく、例えば、図１９（Ａ）〜（Ｃ）のような構成であってもよい。これらの例でも、上記実施形態で行ったような判定（「検出値」が条件を満たすか否かの判定）に加え、特定領域ＡＲの形状が予め定められた形状に合致するか否かの判定を加えることができる。そして、「検出値」が決められた範囲を満たし、且つ撮像画像から検出される特定領域ＡＲの形状が予め定められた形状に合致する場合に、印刷媒体を「真」と判定する方法を用いることができる。
【０１３９】
上記実施形態で説明した判定装置３の構成に加え、印刷媒体１００から光学的センサ１２までの受光経路に所定波長帯の光を透過する光学フィルタを設け、この光学フィルタを透過した光を光学的センサ１２が受光するように構成してもよい。このような光学フィルタは、例えば、判定装置３に設けられた図示しない読取口とレンズ１１の間に配置したり、或いはレンズにコーティングするような配置で設ければよい。外乱光が読取口を介して判定装置内に入り込みやすい環境下では、より正確な真贋判定を行う上で、このような光学フィルタが特に有効である。より具体的には、照明部２０から上述の「特定波長」の光を印刷媒体１００に照射したときに印刷媒体１００で生じる光（「特定波長」の光に応じて印刷媒体１００で反射した光、又は「特定波長」の光に応じて印刷媒体１００で発光した光）の波長を含む所定波長帯の光を選択的に透過し、所定波長帯以外の光の透過を抑える光学フィルタを用いるとよい。
【符号の説明】
【０１４０】
１…判定システム
３…判定装置
１２…受光センサ（受光部）
２０…照明部
３４…制御回路（検出部、判定部、解読部、第１位置検出部、第２位置検出部、暗号解読部、形状認識部
１００…印刷媒体
１０１…第１層
１０２…第２層
１０４…基材層
１１０…識別マーク
１１２…第３インク層
１１４…第１インク層
１１６…第２インク層
１２０，１３０、１４０，１５０…情報コード
Ｃｂ…暗色セル
Ｃｗ…明色セル
ＡＲ…特定領域
ＦＰ１，ＦＰ２，ＦＰ３…位置検出パターン（特定パターン）
【図１】
2015060270.tif 000004
【図２】
2015060270.tif 000005
【図３】
2015060270.tif 000006
【図４】
2015060270.tif 000007
【図５】
2015060270.tif 000008
【図６】
2015060270.tif 000009
【図７】
2015060270.tif 000010
【図８】
2015060270.tif 000011
【図９】
2015060270.tif 000012
【図１０】
2015060270.tif 000013
【図１１】
2015060270.tif 000014
【図１２】
2015060270.tif 000015
【図１３】
2015060270.tif 000016
【図１４】
2015060270.tif 000017
【図１５】
2015060270.tif 000018
【図１６】
2015060270.tif 000019
【図１７】
2015060270.tif 000020
【図１８】
2015060270.tif 000021
【図１９】
2015060270.tif 000022